(57)【要約】【課題】容易に出力画像の階調性を向上させる技術を提供する。【解決手段】入力色空間の入力座標値と出力色空間の出力座標値との対応関係を規定したプロファイルを調整するプロファイル調整方法であって、第一座標の第一調整点、及び、第二座標の第二調整点の設定を受け付ける調整点受付工程と、前記第一座標及び前記第二座標に基づいて第三座標の第三調整点を設定する調整点追加工程と、前記第一調整点における調整の程度を表す第一調整データ、及び、前記第二調整点における調整の程度を表す第二調整データに基づいて、前記第三調整点における調整の程度を表す第三調整データを生成する調整データ生成工程と、前記第一調整データ、前記第二調整データ、及び、前記第三調整データに基づいて前記プロファイルを調整するプロファイル調整工程と、を含む、プロファイル調整方法。【選択図】図１３
2018207328.tif 000002
【特許請求の範囲】
【請求項１】
入力色空間の入力座標値と出力色空間の出力座標値との対応関係を規定したプロファイルを調整するプロファイル調整方法であって、
第一座標の第一調整点、及び、第二座標の第二調整点の設定を受け付ける調整点受付工程と、
前記第一座標及び前記第二座標に基づいて第三座標の第三調整点を設定する調整点追加工程と、
前記第一調整点における調整の程度を表す第一調整データ、及び、前記第二調整点における調整の程度を表す第二調整データに基づいて、前記第三調整点における調整の程度を表す第三調整データを生成する調整データ生成工程と、
前記第一調整データ、前記第二調整データ、及び、前記第三調整データに基づいて前記プロファイルを調整するプロファイル調整工程と、を含む、プロファイル調整方法。
【請求項２】
前記調整点受付工程では、前記第一調整データと前記第二調整データの少なくとも一方の設定を受け付ける、請求項１に記載のプロファイル調整方法。
【請求項３】
前記調整点追加工程では、前記第一座標と前記第二座標との間に前記第三座標の前記第三調整点を設定する、請求項１又は請求項２に記載のプロファイル調整方法。
【請求項４】
前記第一調整データは、前記第一調整点における調整の第一目標を含み、
前記第二調整データは、前記第二調整点における調整の第二目標を含み、
前記第三調整データは、前記第三調整点における調整の第三目標を含み、
前記調整データ生成工程では、前記第一目標及び前記第二目標に基づいて前記第三目標を決定する、請求項１〜請求項３のいずれか一項に記載のプロファイル調整方法。
【請求項５】
前記第一調整データは、前記プロファイルのうち前記第一調整点を基点とする第一調整範囲を含み、
前記第二調整データは、前記プロファイルのうち前記第二調整点を基点とする第二調整範囲を含み、
前記第三調整データは、前記プロファイルのうち前記第三調整点を基点とする第三調整範囲を含み、
前記調整データ生成工程では、前記第一調整範囲及び前記第二調整範囲に基づいて前記第三調整範囲を決定する、請求項１〜請求項４のいずれか一項に記載のプロファイル調整方法。
【請求項６】
前記第一座標、前記第二座標、及び、前記第三座標が前記入力色空間の座標である、請求項１〜請求項５のいずれか一項に記載のプロファイル調整方法。
【請求項７】
前記プロファイルは、前記入力色空間に配置された複数の格子点について前記入力座標値と前記出力座標値との対応関係を規定し、
前記調整点追加工程では、前記入力色空間の前記格子点の間隔に基づいた数の前記第三調整点を設定する、請求項１〜請求項６のいずれか一項に記載のプロファイル調整方法。
【請求項８】
前記プロファイルは、前記入力色空間に配置された複数の格子点について前記入力座標値と前記出力座標値との対応関係を規定し、
前記調整点追加工程では、前記入力色空間の複数の座標軸の内、前記格子点の間隔を単位として前記第一調整点と前記第二調整点との間の距離が最も長い座標軸の方向において、前記格子点の間隔以下の間隔となる数の前記第三調整点を設定する、請求項１〜請求項７のいずれか一項に記載のプロファイル調整方法。
【請求項９】
前記調整点追加工程では、前記第三調整点の数を変えるための設定を受け付け、受け付けた設定に基づいた数の前記第三調整点を設定する、請求項１〜請求項８のいずれか一項に記載のプロファイル調整方法。
【請求項１０】
前記調整データ生成工程では、前記第一座標に対する前記第一調整データ、及び、前記第二座標に対する前記第二調整データに基づいて、前記第三座標に対する前記第三調整データを内挿する、請求項１〜請求項９のいずれか一項に記載のプロファイル調整方法。
【請求項１１】
前記入力色空間は、プロファイル接続空間であり、
前記プロファイルは、前記プロファイル接続空間とは異なる第一の色空間の座標値と前記プロファイル接続空間との対応関係を規定した入力プロファイルと組み合わされる出力プロファイルであり、
前記第一調整点の前記第一座標、及び、前記第二調整点の前記第二座標は、前記第一の色空間の座標であり、
前記調整点追加工程では、前記入力プロファイルに従って前記第一調整点の前記第一座標を前記プロファイル接続空間の第四座標に変換し、前記入力プロファイルに従って前記第二調整点の前記第二座標を前記プロファイル接続空間の第五座標に変換し、前記第四座標及び前記第五座標に基づいて前記プロファイル接続空間において前記第三座標の前記第三調整点を設定し、
前記調整データ生成工程では、前記第一の色空間の座標を基準とした前記第一調整データを前記入力プロファイルに従って前記プロファイル接続空間の座標を基準とした第四調整データに変換し、前記第一の色空間の座標を基準とした前記第二調整データを前記入力プロファイルに従って前記プロファイル接続空間の座標を基準とした第五調整データに変換し、前記第四調整データ及び前記第五調整データに基づいて前記プロファイル接続空間の座標を基準として前記第三調整データを生成し、
前記プロファイル調整工程では、前記第一調整データから変換された前記第四調整データ、前記第二調整データから変換された前記第五調整データ、及び、前記第三調整データに基づいて前記出力プロファイルを調整する、請求項１〜請求項５のいずれか一項に記載のプロファイル調整方法。
【請求項１２】
入力色空間の入力座標値と出力色空間の出力座標値との対応関係を規定したプロファイルを調整するためのプロファイル調整プログラムであって、
第一座標の第一調整点、及び、第二座標の第二調整点の設定を受け付ける調整点受付機能と、
前記第一座標及び前記第二座標に基づいて第三座標の第三調整点を設定する調整点追加機能と、
前記第一調整点における調整の程度を表す第一調整データ、及び、前記第二調整点における調整の程度を表す第二調整データに基づいて、前記第三調整点における調整の程度を表す第三調整データを生成する調整データ生成機能と、
前記第一調整データ、前記第二調整データ、及び、前記第三調整データに基づいて前記プロファイルを調整するプロファイル調整機能と、をコンピューターに実現させる、プロファイル調整プログラム。
【請求項１３】
入力色空間の入力座標値と出力色空間の出力座標値との対応関係を規定したプロファイルを調整するプロファイル調整システムであって、
第一座標の第一調整点、及び、第二座標の第二調整点の設定を受け付ける調整点受付部と、
前記第一座標及び前記第二座標に基づいて第三座標の第三調整点を設定する調整点追加部と、
前記第一調整点における調整の程度を表す第一調整データ、及び、前記第二調整点における調整の程度を表す第二調整データに基づいて、前記第三調整点における調整の程度を表す第三調整データを生成する調整データ生成部と、
前記第一調整データ、前記第二調整データ、及び、前記第三調整データに基づいて前記プロファイルを調整するプロファイル調整部と、を含む、プロファイル調整システム。
【発明の詳細な説明】
【技術分野】
【０００１】
本発明は、色空間の座標値の変換に使用するプロファイルを調整する技術に関する。
【背景技術】
【０００２】
インクジェットプリンターをオフセット印刷等といった印刷の校正用途に使う場合、要求される色再現精度（色を正確に再現する度合い）が非常に高い。これを実現する仕組みとしては、ＩＣＣ（International Color Consortium）プロファイルを用いたカラーマネジメントシステムがある。ＩＣＣプロファイルは、印刷機（例えばオフセット印刷機）、インクジェットプリンター、等といったカラー機器の機器依存カラーと機器非依存カラーとの対応関係を表すデータである。印刷機やインクジェットプリンターの機器依存カラーは、例えば、Ｃ（シアン）、Ｍ（マゼンタ）、Ｙ（イエロー）、及び、Ｋ（ブラック）の使用量を表すＣＭＹＫ値で表される。機器非依存カラーは、例えば、機器独立色空間（device independent color space）であるＣＩＥ（国際照明委員会）Ｌ*ａ*ｂ*色空間の色彩値（「*」を省略してＬａｂ値とする。）やＣＩＥ ＸＹＺ色空間の色彩値で表される。
【０００３】
ここで、印刷機のＩＣＣプロファイルを入力プロファイルとし、インクジェットプリンターのＩＣＣプロファイルを出力プロファイルとする。印刷機におけるＣＭＹＫ値（ＣＭＹＫt値とする。）を入力プロファイルに従ってＰＣＳ（Profile Connection Space；プロファイル接続空間）の色彩値（例えばＬａｂ値）に変換すると、この色彩値を出力プロファイルに従ってインクジェットプリンターのＣＭＹＫ値（ＣＭＹＫp値とする。）に変換することができる。ＣＭＹＫp値に従ってインクジェットプリンターで印刷を行うと、インクジェットプリンターで印刷機の色に近い色を再現することができる。実際には、プロファイルの誤差、色測定誤差、プリンターの変動、等により、期待する色が再現できない場合がある。このような場合、ＩＣＣプロファイルを修正することにより、対象の色の変換精度を上げている。
【０００４】
特許文献１には、校正機をターゲットデバイスとしてＣＭＹＫプリンターの色再現を調整するためにＣＭＹＫプリンター用の出力プロファイルの入力値（Ｌａｂ値）を調整する方法が開示されている。この方法では、ユーザーが被調整色（調整点）を選択して該被調整色に対する調整量を設定している。
【先行技術文献】
【特許文献】
【０００５】
【特許文献１】特開２００３−８７５８９号公報
【発明の概要】
【発明が解決しようとする課題】
【０００６】
ユーザーによっては、ある色１点（点Ｐ１とする。）だけでなく、その色（例えば白）から他の色（点Ｐ２とする。例えば赤）まで連続する全ての色を調整したい場合がある。調整点Ｐ１，Ｐ２だけ調整量を設定すると、出力画像の階調性が低下することがある。この場合、調整点Ｐ１，Ｐ２の間にも多くの調整点及び調整量を設定する必要がある。特に、調整点Ｐ１，Ｐ２が離れていると、その分、より多くの設定が必要である。この設定は、非常に煩雑である。
尚、上述のような問題は、インクジェットプリンターを対象としたプロファイルを調整する場合に限らず、種々のカラー機器を対象としたプロファイルを調整する場合にも存在する。
【０００７】
本発明の目的の一つは、容易に出力画像の階調性を向上させることが可能な技術を提供することにある。
【課題を解決するための手段】
【０００８】
上記目的の一つを達成するため、本発明は、入力色空間の入力座標値と出力色空間の出力座標値との対応関係を規定したプロファイルを調整するプロファイル調整方法であって、
第一座標の第一調整点、及び、第二座標の第二調整点の設定を受け付ける調整点受付工程と、
前記第一座標及び前記第二座標に基づいて第三座標の第三調整点を設定する調整点追加工程と、
前記第一調整点における調整の程度を表す第一調整データ、及び、前記第二調整点における調整の程度を表す第二調整データに基づいて、前記第三調整点における調整の程度を表す第三調整データを生成する調整データ生成工程と、
前記第一調整データ、前記第二調整データ、及び、前記第三調整データに基づいて前記プロファイルを調整するプロファイル調整工程と、を含む、態様を有する。
【０００９】
また、本発明は、上述したプロファイル調整方法の各工程に対応する機能をコンピューターに実現させるプロファイル調整プログラムの態様を有する。
さらに、本発明は、上述したプロファイル調整方法の各工程に対応するユニット（「部」）を含むプロファイル調整システムの態様を有する。
【００１０】
上述した態様は、容易に出力画像の階調性を向上させる技術を提供することができる。
【図面の簡単な説明】
【００１１】
【図１】プロファイル調整システムの構成例を模式的に示すブロック図。
【図２】カラーマネジメントフローの例を模式的に示す図。
【図３】各種プロファイルの関係の例を模式的に示す図。
【図４】プロファイルの構造例を模式的に示す図。
【図５】プロファイル調整処理の例を示すフローチャート。
【図６】プロファイル及びパラメーター設定処理の例を示すフローチャート。
【図７】ユーザーインターフェイス画面の例を模式的に示す図。
【図８】図８Ａ〜８Ｄはプロファイルの組合せと一つのプロファイルとのいずれか一方を受け付ける例を模式的に示す図。
【図９】図９Ａ〜９Ｄは調整対象プロファイルを受け付ける例を模式的に示す図。
【図１０】図１０Ａ〜１０Ｃは調整対象色空間を受け付ける例を模式的に示す図。
【図１１】図１１Ａは調整の目標の入力方法を受け付ける例を模式的に示す図、図１１Ｂは調整の目標を色空間の座標値として受け付ける場合のＵＩ画面の例を模式的に示す図、図１１Ｃは調整点を設定する例を模式的に示す図。
【図１２】ペア指定画面の例を模式的に示す図。
【図１３】図１３Ａは第一調整点と第二調整点との間に第三調整点を追加して第三調整点を基点とする調整範囲を決定する例を模式的に示す図、図１３Ｂは第三調整点における調整の目標を決定する例を模式的に示す図。
【図１４】図１４Ａ〜１４Ｅは現在の出力値の算出例を模式的に示す図。
【図１５】現在の出力値を算出する式の例を模式的に示す図。
【図１６】図１６Ａ〜１６Ｄは調整対象色空間に応じた目標出力値の算出例を模式的に示す図。
【図１７】図１７Ａ〜１７Ｃは調整対象色空間に応じた目標出力値の算出例を模式的に示す図。
【図１８】目標出力値を算出する式の例を模式的に示す図。
【図１９】図１９Ａ，１９Ｂは調整対象プロファイルの入力値及び調整目標値を求める例を模式的に示す図。
【図２０】調整対象プロファイルの入力値及び調整目標値を算出する式の例を模式的に示す図。
【図２１】図２１Ａは調整対象プロファイルの出力色空間において調整する場合の各格子点の調整量を模式的に示す図、図２１Ｂは調整対象プロファイルの入力色空間において調整する場合の各格子点の調整量を模式的に示す図。
【図２２】図２２Ａは最近傍格子点に対する出力値の調整量を決定する例を模式的に示す図、図２２Ｂ最近傍格子点の周囲の格子点に対する出力値の調整量を決定する例を模式的に示す図。
【図２３】グラデーション画像の例を模式的に示す図。
【図２４】追加する第三調整点の数を変えるための設定画面の例を模式的に示す図。
【図２５】図２５Ａは第一調整点と第二調整点との間の第三調整点を増やして第三調整点を基点とする調整範囲を決定する例を模式的に示す図、図２５Ｂは増えた第三調整点における調整の目標を決定する例を模式的に示す図。
【図２６】図２６Ａはプロファイル接続空間において第一調整点と第二調整点との間に第三調整点を追加して第三調整点を基点とする調整範囲を決定する例を模式的に示す図、図２６Ｂはプロファイル接続空間の座標を基準として第三調整点における調整の目標を決定する例を模式的に示す図。
【発明を実施するための形態】
【００１２】
以下、本発明の実施形態を説明する。むろん、以下の実施形態は本発明を例示するものに過ぎず、実施形態に示す特徴の全てが発明の解決手段に必須になるとは限らない。
【００１３】
（１）本発明に含まれる技術の概要：
まず、図１〜２６に示される例を参照して本発明に含まれる技術の概要を説明する。尚、本願の図は模式的に例を示す図であり、これらの図に示される各方向の拡大率は異なることがあり、各図は整合していないことがある。むろん、本技術の各要素は、符号で示される具体例に限定されない。
【００１４】
［態様１］
本技術の一態様に係るプロファイル調整方法は、入力色空間ＣＳ４の入力座標値と出力色空間ＣＳ５の出力座標値との対応関係を規定したプロファイル５００を調整するプロファイル調整方法であって、調整点受付工程ＳＴ１、調整点追加工程ＳＴ２、調整データ生成工程ＳＴ３、及び、プロファイル調整工程ＳＴ４を含む。前記調整点受付工程ＳＴ１では、第一座標の第一調整点Ｐ１、及び、第二座標の第二調整点Ｐ２の設定を受け付ける。前記調整点追加工程ＳＴ２では、前記第一座標及び前記第二座標に基づいて第三座標の第三調整点Ｑを設定する。前記調整データ生成工程ＳＴ３では、前記第一調整点Ｐ１における調整の程度を表す第一調整データ（例えば第一目標Ｔ１及び第一調整範囲Ａ１）、及び、前記第二調整点Ｐ２における調整の程度を表す第二調整データ（例えば第二目標Ｔ２及び第二調整範囲Ａ２）に基づいて、前記第三調整点Ｑにおける調整の程度を表す第三調整データ（例えば第三目標Ｔ３及び第三調整範囲Ａ３）を生成する。前記プロファイル調整工程ＳＴ４では、前記第一調整データ、前記第二調整データ、及び、前記第三調整データに基づいて前記プロファイル５００を調整する。
【００１５】
上記態様１では、ユーザーが第一座標の第一調整点Ｐ１、及び、第二座標の第二調整点Ｐ２を設定すれば、自動的に第三座標の第三調整点Ｑが設定され、さらに該第三調整点Ｑにおける調整の程度を表す第三調整データが生成され、この第三調整データもプロファイル５００の調整に用いられる。従って、本態様は、容易に出力画像の階調性を向上させるプロファイル調整方法を提供することができる。
【００１６】
ここで、入力色空間には、ＣＭＹＫ色空間、ＣＭＹ色空間、ＲＧＢ色空間、ＣＩＥ Ｌａｂ色空間、ＣＩＥ ＸＹＺ色空間、等が含まれる。尚、Ｒは赤を意味し、Ｇは緑を意味し、Ｂは青を意味する。
出力色空間にも、ＣＭＹＫ色空間、ＣＭＹ色空間、ＲＧＢ色空間、ＣＩＥ Ｌａｂ色空間、ＣＩＥ ＸＹＺ色空間、等が含まれる。
調整点（第一調整点、第二調整点、及び、第三調整点）の座標（第一座標、第二座標、及び、第三座標）は、入力色空間の座標でもよいし、出力色空間の座標でもよいし、プロファイル接続空間の座標でもよいし、これらの色空間とは異なる色空間の座標でもよい。また、第一調整点に対して複数の第二調整点が設定されてもよいし、第二調整点に対して複数の第一調整点が設定されてもよい。
調整データ（第一調整データ、第二調整データ、及び、第三調整データ）には、調整点における調整の目標、調整点を基点とする調整範囲、等が含まれる。前記目標は、色空間の座標値で表されてもよいし、色空間の現在の座標値からの差分で表されてもよい。
尚、上記態様１の付言は、以下の態様も同様である。
【００１７】
［態様２］
図６，７，１１Ｂ等に例示するように、前記調整点受付工程ＳＴ１では、前記第一調整データと前記第二調整データの少なくとも一方の設定を受け付けてもよい。この態様は、ユーザーが第一調整データと第二調整データの少なくとも一方を設定することができるので、さらに容易に出力画像の階調性を向上させる技術を提供することができる。
【００１８】
［態様３］
図１３Ａ等に例示するように、前記調整点追加工程ＳＴ２では、前記第一座標と前記第二座標との間に前記第三座標の前記第三調整点Ｑを設定してもよい。この態様は、第一調整点Ｐ１と第二調整点Ｐ２との間に第三調整点Ｑが設定されてプロファイル５００が調整されるので、容易に出力画像の階調性を向上させる好適な技術を提供することができる。
【００１９】
［態様４］
図１３Ｂ等に例示するように、前記第一調整データは、前記第一調整点Ｐ１における調整の第一目標Ｔ１を含んでもよい。前記第二調整データは、前記第二調整点Ｐ２における調整の第二目標Ｔ２を含んでもよい。前記第三調整データは、前記第三調整点Ｑにおける調整の第三目標Ｔ３を含んでもよい。前記調整データ生成工程ＳＴ３では、前記第一目標Ｔ１及び前記第二目標Ｔ２に基づいて前記第三目標Ｔ３を決定してもよい。本態様は、自動的に第三調整点Ｑの第三目標Ｔ３が設定され、この第三目標Ｔ３もプロファイル５００の調整に用いられる。従って、本態様は、容易に出力画像の階調性を向上させる好適な技術を提供することができる。
【００２０】
［態様５］
図１３Ａ等に例示するように、前記第一調整データは、前記プロファイル５００のうち前記第一調整点Ｐ１を基点とする第一調整範囲Ａ１を含んでもよい。前記第二調整データは、前記プロファイル５００のうち前記第二調整点Ｐ２を基点とする第二調整範囲Ａ２を含んでもよい。前記第三調整データは、前記プロファイル５００のうち前記第三調整点Ｑを基点とする第三調整範囲Ａ３を含んでもよい。前記調整データ生成工程ＳＴ３では、前記第一調整範囲Ａ１及び前記第二調整範囲Ａ２に基づいて前記第三調整範囲Ａ３を決定してもよい。本態様は、自動的に第三調整点Ｑの第三調整範囲Ａ３が設定され、プロファイル５００のうち第三調整範囲Ａ３も調整される。従って、本態様は、容易に出力画像の階調性を向上させる好適な技術を提供することができる。
【００２１】
［態様６］
図１３Ａ等に例示するように、前記第一座標、前記第二座標、及び、前記第三座標が前記入力色空間ＣＳ４の座標であると、第一調整点Ｐ１及び第二調整点Ｐ２を容易に設定することができる。従って、本態様は、さらに容易に出力画像の階調性を向上させる技術を提供することができる。
【００２２】
［態様７］
図３等に例示するように、前記プロファイル５００は、前記入力色空間ＣＳ４に配置された複数の格子点ＧＤ０について前記入力座標値と前記出力座標値との対応関係を規定してもよい。前記調整点追加工程ＳＴ２では、前記入力色空間ＣＳ４の前記格子点ＧＤ０の間隔ΔＧＤに基づいた数Ｎ０の前記第三調整点Ｑを設定してもよい。本態様は、入力色空間ＣＳ４において第一調整点Ｐ１と第二調整点Ｐ２との間にある色を変換するために参照される格子点ＧＤ０の間隔ΔＧＤに基づいた数の第三調整点Ｑが設定されるので、容易に出力画像の階調性を向上させる好適な技術を提供することができる。
【００２３】
［態様８］
図１３Ａ等に例示するように、前記調整点追加工程ＳＴ２では、前記入力色空間ＣＳ４の複数の座標軸の内、前記格子点ＧＤ０の間隔ΔＧＤを単位として前記第一調整点Ｐ１と前記第二調整点Ｐ２との間の距離が最も長い座標軸の方向において、前記格子点ＧＤ０の間隔ΔＧＤ以下の間隔となる数Ｎ０の前記第三調整点Ｑを設定してもよい。この態様は、格子点ＧＤ０の間隔ΔＧＤ以下の間隔となる数の第三調整点Ｑが設定されるので、容易に出力画像の階調性を向上させる好適な技術を提供することができる。
【００２４】
［態様９］
図２４に例示するように、前記調整点追加工程ＳＴ２では、前記第三調整点Ｑの数Ｎ０を変えるための設定を受け付け、受け付けた設定に基づいた数Ｎ０の前記第三調整点Ｑを設定してもよい。この態様は、ユーザーが第三調整点Ｑの数Ｎ０を変えることができるので、容易に出力画像の階調性を向上させる好適な技術を提供することができる。
【００２５】
［態様１０］
図１３Ａ，１３Ｂ等に例示するように、前記調整データ生成工程ＳＴ３では、前記第一座標に対する前記第一調整データ、及び、前記第二座標に対する前記第二調整データに基づいて、前記第三座標に対する前記第三調整データを内挿してもよい。この態様は、容易に出力画像の階調性を向上させる好適な技術を提供することができる。
【００２６】
［態様１１］
図２６Ａ，２６Ｂに例示するように、前記入力色空間ＣＳ４は、プロファイル接続空間ＣＳ３でもよい。前記プロファイル５００は、前記プロファイル接続空間ＣＳ３とは異なる第一の色空間ＣＳ１（例えばＣＭＹＫ色空間）の座標値（例えばＣＭＹＫ値）と前記プロファイル接続空間ＣＳ３との対応関係を規定した入力プロファイル６１０と組み合わされる出力プロファイル６２０でもよい。前記第一調整点Ｐ１の前記第一座標、及び、前記第二調整点Ｐ２の前記第二座標は、前記第一の色空間ＣＳ１の座標でもよい。前記調整点追加工程ＳＴ２では、前記入力プロファイル６１０に従って前記第一調整点Ｐ１の前記第一座標を前記プロファイル接続空間ＣＳ３の第四座標に変換してもよい。該調整点追加工程ＳＴ２では、前記入力プロファイル６１０に従って前記第二調整点Ｐ２の前記第二座標を前記プロファイル接続空間ＣＳ３の第五座標に変換してもよい。該調整点追加工程ＳＴ２では、前記第四座標及び前記第五座標に基づいて前記プロファイル接続空間ＣＳ３において前記第三座標の前記第三調整点Ｑを設定してもよい。前記調整データ生成工程ＳＴ３では、前記第一の色空間ＣＳ１の座標を基準とした前記第一調整データ（例えば第一目標Ｔ１及び第一調整範囲Ａ１）を前記入力プロファイル６１０に従って前記プロファイル接続空間ＣＳ３の座標を基準とした第四調整データに変換してもよい。該調整データ生成工程ＳＴ３では、前記第一の色空間ＣＳ１の座標を基準とした前記第二調整データ（例えば第二目標Ｔ２及び第二調整範囲Ａ２）を前記入力プロファイル６１０に従って前記プロファイル接続空間ＣＳ３の座標を基準とした第五調整データに変換してもよい。該調整データ生成工程ＳＴ３では、前記第四調整データ及び前記第五調整データに基づいて前記プロファイル接続空間ＣＳ３の座標を基準として前記第三調整データ（例えば第三目標Ｔ３及び第三調整範囲Ａ３）を生成してもよい。前記プロファイル調整工程ＳＴ４では、前記第一調整データから変換された前記第四調整データ、前記第二調整データから変換された前記第五調整データ、及び、前記第三調整データに基づいて前記出力プロファイル６２０を調整してもよい。
【００２７】
上記態様１１では、出力プロファイルを入力プロファイルと組み合わせて調整する場合に容易に出力画像の階調性を向上させる好適な技術を提供することができる。
【００２８】
［態様１２］
ところで、本技術の一態様に係るプロファイル調整プログラムＰＲ０は、態様１の各工程に対応する機能、すなわち、調整点受付工程ＳＴ１に対応する調整点受付機能ＦＵ１、調整点追加工程ＳＴ２に対応する調整点追加機能ＦＵ２、調整データ生成工程ＳＴ３に対応する調整データ生成機能ＦＵ３、及び、プロファイル調整工程ＳＴ４に対応するプロファイル調整機能ＦＵ４をコンピューターに実現させる。本態様は、容易に出力画像の階調性を向上させるプロファイル調整プログラムを提供することができる。
【００２９】
［態様１３］
また、本技術の一態様に係るプロファイル調整システム（例えばホスト装置１００）は、態様１の各工程に対応するユニット、すなわち、調整点受付工程ＳＴ１に対応する調整点受付部Ｕ１、調整点追加工程ＳＴ２に対応する調整点追加部Ｕ２、調整データ生成工程ＳＴ３に対応する調整データ生成部Ｕ３、及び、プロファイル調整工程ＳＴ４に対応するプロファイル調整部Ｕ４を含む。本態様は、容易に出力画像の階調性を向上させるプロファイル調整システムを提供することができる。
【００３０】
さらに、本技術は、プロファイル調整システムの制御方法、プロファイル調整システムを含む複合システム、複合システムの制御方法、プロファイル調整システムの制御プログラム、複合システムの制御プログラム、プロファイル調整プログラムや前記制御プログラムを記録したコンピューター読み取り可能な媒体、等に適用可能である。前述の装置は、分散した複数の部分で構成されてもよい。
【００３１】
（２）プロファイル調整システムの構成の具体例：
図１は、プロファイル調整システムの構成例としてホスト装置１００を模式的に示している。このホスト装置１００は、ＣＰＵ（Central Processing Unit）１１１、ＲＯＭ（Read Only Memory）１１２、ＲＡＭ（Random Access Memory）１１３、記憶装置１１４、表示装置１１５、入力装置１１６、測色装置１１７、通信Ｉ／Ｆ（インターフェイス）１１８、等が接続されて互いに情報を入出力可能とされている。
【００３２】
記憶装置１１４は、図示しないＯＳ（オペレーティングシステム）、プロファイル調整プログラムＰＲ０、等を記憶している。これらは、適宜、ＲＡＭ１１３に読み出され、プロファイル５００の調整処理に使用される。ここで、プロファイル５００は、入力プロファイル６１０、出力プロファイル６２０、及び、デバイスリンクプロファイル６３０を総称している。ＲＡＭ１１３と記憶装置１１４の少なくとも一方には、各種情報、例えば、入力プロファイル６１０、出力プロファイル６２０、デバイスリンクプロファイル６３０、調整履歴７００、等が格納される。記憶装置１１４には、フラッシュメモリー等の不揮発性半導体メモリー、ハードディスク等の磁気記憶装置、等を用いることができる。
【００３３】
表示装置１１５には、液晶表示パネル等を用いることができる。入力装置１１６には、ポインティングデバイス、キーボードを含むハードキー、表示パネルの表面に貼り付けられたタッチパネル、等を用いることができる。測色装置１１７は、カラーチャートが形成される媒体の例である被印刷物（print substrate）に形成された各カラーパッチを測色して測色値を出力可能である。パッチは、色票とも呼ばれる。測色値は、例えば、ＣＩＥ Ｌａｂ色空間における明度Ｌ及び色度座標ａ，ｂを表す値とされる。測色装置１１７は、ホスト装置１００の外部に設けられてもよい。ホスト装置１００は、測色装置１１７から複数の測色値を含む測色データを取得して各種処理を行う。通信Ｉ／Ｆ １１８は、プリンター２００の通信Ｉ／Ｆ ２１０に接続され、プリンター２００に対して印刷データ等といった情報を入出力する。通信Ｉ／Ｆ １１８，２１０の規格には、ＵＳＢ（Universal Serial Bus）、近距離無線通信規格、等を用いることができる。通信Ｉ／Ｆ １１８，２１０の通信は、有線でもよいし、無線でもよく、ＬＡＮ（Local Area Network）やインターネット等といったネットワーク通信でもよい。
【００３４】
図１に示すプロファイル調整プログラムＰＲ０は、調整点受付機能ＦＵ１、調整点追加機能ＦＵ２、調整データ生成機能ＦＵ３、及び、プロファイル調整機能ＦＵ４をホスト装置１００に実現させる。
【００３５】
尚、ホスト装置１００には、パーソナルコンピューター（タブレット型端末を含む。）といったコンピューター等が含まれる。ホスト装置１００は、一つの筐体内に全構成要素１１１〜１１８を有してもよいが、互いに通信可能に分割された複数の装置で構成されてもよい。また、プリンターがホスト装置１００にあっても、本技術を実施可能である。
【００３６】
図１に示すプリンター２００は、色材としてＣ（シアン）インク、Ｍ（マゼンタ）インク、Ｙ（イエロー）インク、及び、Ｋ（ブラック）インクを記録ヘッド２２０から吐出（噴射）して印刷データに対応する出力画像ＩＭ０を形成するインクジェットプリンターであるものとする。記録ヘッド２２０は、インクカートリッジＣｃ，Ｃｍ，Ｃｙ，ＣｋからそれぞれＣＭＹＫ（シアン、マゼンタ、イエロー、及び、ブラック）のインクが供給され、ノズルＮｃ，Ｎｍ，Ｎｙ，ＮｋからそれぞれＣＭＹＫのインク滴２８０を吐出する。インク滴２８０が被印刷物ＭＥ１に着弾すると、インクドットが被印刷物ＭＥ１に形成される。その結果、被印刷物ＭＥ１上に出力画像ＩＭ０を有する印刷物が得られる。
【００３７】
（３）カラーマネジメントシステムの具体例：
次に、図２を参照して、本技術を適用可能なカラーマネジメントシステムの例を説明する。
図２に示すカラーマネジメントシステムは、印刷原稿データＤ０をＲＩＰ（Raster Image Processor）４００で印刷色ｃｍｙｋp（シアン、マゼンタ、イエロー、及び、ブラック）を表す出力データに変換してインクジェットプリンター２００に印刷物を形成させる。印刷原稿データＤ０は、色合わせのターゲット装置の例であるターゲット印刷機３００のＣＭＹＫのインク（色材）で目標とする色（目標色Ｃt）を再現するためのプロセスカラーＣＭＹＫinを表す。印刷原稿データＤ０には、カラーライブラリーの色名も指定可能である。カラーライブラリーには、例えば、Pantone（登録商標）カラーライブラリー等を使用可能である。
【００３８】
ターゲット印刷機３００は、オフセット印刷機であるものとするが、グラビア印刷機、フレキソ印刷機、等でもよい。目標色Ｃtは、例えば、ＣＩＥ Ｌａｂ色空間の座標値（Ｌａｂ値）で表される。図２には、ターゲット印刷機３００が被印刷物に目標色Ｃtを表すカラーチャートを印刷し、測色装置がカラーチャートの各パッチを測色して測色値Ｌａｂtを取得する様子が示されている。プロセスカラーＣＭＹＫinは、ターゲット印刷機３００で使用されるＣＭＹＫのインクの使用量に対応し、ターゲット印刷機３００に依存するＣＭＹＫ色空間の座標を表す。
【００３９】
ＲＩＰ４００は、入力プロファイル６１０、出力プロファイル６２０、及び、カラーライブラリー６４０を有している。入力プロファイル６１０は、ターゲット印刷機３００で使用されるインクの色特性を記述したファイルである。出力プロファイル６２０は、インクジェットプリンター２００で使用されるインクの色特性を記述したファイルである。両プロファイル６１０，６２０には、例えば、ＩＣＣプロファイルのデータフォーマットを用いることができる。印刷原稿データＤ０のプロセスカラーＣＭＹＫinは、入力プロファイル６１０に従ってＬａｂ色空間の色Ｌａｂsに変換され、出力プロファイル６２０に従って印刷色ｃｍｙｋpに変換される。プリンター２００がＣＭＹＫの計４色のインクを使用する場合、印刷色ｃｍｙｋpは、プリンター２００に出力され、印刷物に再現される。図２には、プリンター２００が被印刷物に印刷色ｃｍｙｋpを表すカラーチャートを印刷し、測色装置がカラーチャートの各パッチを測色して測色値Ｌａｂpを取得する様子が示されている。プリンター２００がＬｃ（ライトシアン）、Ｌｍ（ライトマゼンタ）、Ｄｙ（ダークイエロー）、Ｌｋ（ライトブラック）、等のインクも使用する場合、ＲＩＰ４００又はプリンター２００が印刷色ｃｍｙｋpを濃色と淡色に分版すると、プリンター２００が印刷色ｃｍｙｋpを印刷物に再現することができる。むろん、印刷色自体も、ＣＭＹＫの計４色に限定されない。
また、印刷原稿データＤ０に色名が設定されている場合、ＲＩＰ４００は、カラーライブラリー６４０を参照して色名をＬａｂ色空間の色Ｌａｂsに変換することがある。
【００４０】
尚、ＲＩＰ４００は、プロセスカラーＣＭＹＫin以外にも、減法混色となる三原色ＣＭＹのみの色材の使用量を表すプロセスカラー（ＣＭＹinとする。）、加法混色となる三原色Ｒ（赤）、Ｇ（緑）、及び、Ｂ（青）の強度を表すプロセスカラー（ＲＧＢinとする。）、等とＬａｂ色空間の座標値とを変換するための入力プロファイルも有している。従って、ＲＩＰ４００は、プロセスカラーＣＭＹinやプロセスカラーＲＧＢin等もＬａｂ色空間経由で印刷色ｃｍｙｋpに変換可能である。加えて、ＲＩＰ４００は、Ｌａｂ色空間の色Ｌａｂsを入力して印刷色ｃｍｙｋpに変換することも可能である。
【００４１】
以上により、インクジェットプリンター２００でターゲット印刷機３００の色に近い色を再現することができる。しかし、実際には、プロファイルの誤差、色測定誤差、プリンターの変動、等により、期待する色が再現できない場合がある。このような場合、プロファイル６１０，６２０を修正することにより、対象の色の変換精度を上げている。出力プロファイル６２０を修正する場合、ＰＣＳ（プロファイル接続空間）でのＬａｂs値を目標値とし、プリンター２００で印刷した色を測色した結果（Ｌａｂp）を現在値として、両者の色差を計算し、この色差を少なくするように出力プロファイル６２０を修正することが考えられる。また、入力プロファイル６１０を修正する場合、カラーチャートのデータを入力プロファイル６１０と出力プロファイル６２０とで変換してカラーチャートを印刷し、各パッチの測色結果（Ｌａｂp）と目標色彩値（Ｌａｂt）との色差を計算し、この色差を少なくするように入力プロファイル６１０を修正することが考えられる。
【００４２】
ただ、以下の理由によって期待する色が得られなかったり、手間がかかったりする場合がある。
理由１．印刷した結果を測色する必要があるので、測定機が必要であり、目視での色合わせに対応することができない。
理由２．入力プロファイル６１０を修正する場合、色差の計算結果を入力プロファイル６１０にフィードバックしている。しかし、誤差の原因が出力プロファイル６２０にあると考えられる場合、他の入力プロファイルについても修正する必要がある。（この場合、計算結果を出力プロファイル６２０にフィードバックして出力プロファイル６２０を修正することにより、他の出力プロファイルを修正する必要が無くなる。）
【００４３】
本具体例では、プロファイル調整プログラムＰＲ０が実現させる機能ＦＵ１〜ＦＵ４により、色空間の座標値の変換に使用するプロファイルを調整する作業の利便性を向上させ、さらに高い色再現精度や階調性を実現させている。
【００４４】
（４）プロファイルの具体例：
図３は、プロファイル６１０，６２０，６３０の関係を模式的に例示している。
図３に示すように、入力プロファイル６１０は、ターゲット印刷機３００の使用インクに合わせたＣＭＹＫ色空間（第一の色空間ＣＳ１の例）のＣＭＹＫ値（Ｃi，Ｍi，Ｙi，Ｋi）と、Ｌａｂ色空間（ＰＣＳ（プロファイル接続空間）ＣＳ３の例）のＬａｂ値（Ｌi，ａi，ｂi）と、の対応関係を規定したデータである。この場合のＡ２Ｂテーブルの格子点ＧＤ１は、通常、ＣＭＹＫ色空間にＣ軸方向、Ｍ軸方向、Ｙ軸方向、及び、Ｋ軸方向へ略等間隔となるように並べられる。尚、ここでの変数ｉは、ＣＭＹＫ色空間（ＣＳ１）に設定された格子点ＧＤ１を識別する変数である。ＣＭＹＫ値は、第一座標値の例である。Ｌａｂ値は、第三座標値の例である。入力プロファイル６１０において、ＣＭＹＫ色空間（ＣＳ１）は入力色空間ＣＳ４の例であり、Ｌａｂ色空間（ＣＳ３）は出力色空間ＣＳ５の例である。
【００４５】
出力プロファイル６２０は、Ｌａｂ色空間（ＣＳ３）のＬａｂ値（Ｌj，ａj，ｂj）と、インクジェットプリンター２００の使用インクに合わせたｃｍｙｋ色空間（第二の色空間ＣＳ２の例）のｃｍｙｋ値（ｃj，ｍj，ｙj，ｋj）と、の対応関係を規定したデータである。この場合のＢ２Ａテーブルの格子点ＧＤ２は、通常、Ｌａｂ色空間にＬ軸方向、ａ軸方向、及び、ｂ軸方向へ略等間隔となるように並べられる。尚、ここでの変数ｊは、Ｌａｂ色空間（ＣＳ３）に設定された格子点ＧＤ２を識別する変数である。「ｃｍｙｋ色空間」と表現しているのは、プリンター２００の使用インクに合わせた色空間をターゲット印刷機３００に合わせた色空間と区別するためである。ｃｍｙｋ値は、第二座標値の例である。出力プロファイル６２０において、Ｌａｂ色空間（ＣＳ３）は入力色空間ＣＳ４の例であり、ｃｍｙｋ色空間（ＣＳ２）は出力色空間ＣＳ５の例である。
【００４６】
デバイスリンクプロファイル６３０は、ＣＭＹＫ色空間（ＣＳ１）のＣＭＹＫ値（Ｃi，Ｍi，Ｙi，Ｋi）と、ｃｍｙｋ色空間（ＣＳ２）のｃｍｙｋ値（ｃi，ｍi，ｙi，ｋi）と、の対応関係を規定したデータである。ここでの変数ｉは、ＣＭＹＫ色空間（ＣＳ１）に設定された格子点ＧＤ１を識別する変数である。デバイスリンクプロファイル６３０は、入力プロファイル６１０と出力プロファイル６２０とを結合することにより得られる。入力プロファイル６１０において、ＣＭＹＫ色空間（ＣＳ１）は入力色空間ＣＳ４の例であり、ｃｍｙｋ色空間（ＣＳ２）は出力色空間ＣＳ５の例である。
【００４７】
図４は、プロファイル５００の構造を模式的に例示している。図４に示すプロファイル５００は、ＩＣＣプロファイルであり、プロファイルヘッダー５１０とタグテーブル５２０を含む。プロファイル５００には、ＰＣＳと機器従属色空間（device dependent color space）との間でカラー情報を変換するために必要な情報であるタグ（tag）５２１が含まれている。タグ５２１には、プロファイル５００をカスタマイズするためのプライベートタグ５２３が含まれてもよい。
【００４８】
デバイス（３００，２００）用のA2Bxタグ（図４に示すｘは０、１、又は、２）は、エレメントデータ５３０として、機器従属色空間（ＣＭＹＫ色空間、ｃｍｙｋ色空間）からＬａｂ色空間に変換するための色変換テーブルを含んでいる。デバイス（３００，２００）用のB2Axタグは、エレメントデータ５３０として、Ｌａｂ色空間から機器従属色空間（ＣＭＹＫ色空間、ｃｍｙｋ色空間）に変換するための色変換テーブルを含んでいる。
【００４９】
図４に示すA2B0タグ、及び、B2A0タグは、知覚的（Perceptual）な色変換を行うための情報である。知覚的な色変換は、階調再現を重視しているので、主に、色域の広い写真画像の変換に用いられる。図４に示すA2B1タグ、及び、B2A1タグは、相対的で測色的（Media-Relative Colorimetric）な色変換、又は、絶対的で測色的（Absolute Colorimetric）な色変換を行うための情報である。測色的な色変換は、測色値に忠実であるので、主に、正確な色の一致が求められるデジタルプルーフの色校正出力用の変換に用いられる。図４に示すA2B2タグ、及び、B2A2タグは、彩度重視（Saturation）の色変換を行うための情報である。彩度重視の色変換は、色味の正確さよりも色の鮮やかさ重視しているので、主に、ビジネスグラッフィクスでのグラフ表示等の変換に用いられる。
【００５０】
（５）プロファイル調整システムで行われるプロファイル調整処理の具体例：
図５は、図１に示すホスト装置１００で行われるプロファイル調整処理の例を示している。図６は、図５のステップＳ１０２で行われるプロファイル及びパラメーター設定処理の例を示している。むろん、これらの処理は、順番を入れ替える等、適宜、変更可能である。図７は、図６のステップＳ２０２で表示されるＵＩ（ユーザーインターフェイス）画面８００の例を示している。ホスト装置１００は、マルチタスクにより複数の処理を並列して実行している。ここで、図６のステップＳ２１４，Ｓ２１５は、調整点受付工程ＳＴ１、調整点受付機能ＦＵ１、及び、調整点受付部Ｕ１に対応している。図６のステップＳ２２０は、調整点追加工程ＳＴ２、調整点追加機能ＦＵ２、及び、調整点追加部Ｕ２に対応している。図６のステップＳ２２４は、調整データ生成工程ＳＴ３、調整データ生成機能ＦＵ３、及び、調整データ生成部Ｕ３に対応している。図５のステップＳ１０４〜Ｓ１２０は、プロファイル調整工程ＳＴ４、プロファイル調整機能ＦＵ４、及び、プロファイル調整部Ｕ４に対応している。以下、「ステップ」の記載を省略する。
【００５１】
図５に示すプロファイル調整処理が開始されると、ホスト装置１００は、図６に示すプロファイル及びパラメーター設定処理を行う（Ｓ１０２）。このプロファイル及びパラメーター設定処理が開始されると、ホスト装置１００は、図７に示すＵＩ画面８００を表示装置１１５に表示する（図６のＳ２０２）。ＵＩ画面８００は、入力プロファイル選択欄８１１、出力プロファイル選択欄８１２、デバイスリンクプロファイル選択欄８１３、調整対象プロファイル指定欄８２０、調整対象色空間選択欄８３０、目標受付領域８４０、「画像から指定」ボタン８４１、追加ボタン８４２、削除ボタン８４３、調整データ選択欄８４５、調整範囲指定欄８５０、インテント指定欄８６０、調整実施ボタン８７０、履歴ロードボタン８８１、及び、履歴セーブボタン８８２を有している。
【００５２】
ホスト装置１００は、上述した欄、及び、ボタンへの操作を入力装置１１６により受け付け（Ｓ２１０）、調整実施ボタン８７０への操作を受け付けるとプロファイル及びパラメーター設定処理を終了させる。Ｓ２１０の処理は、以下の処理Ｓ２１１〜Ｓ２１６を含んでいる。
（Ｓ２１１）ＣＭＹＫ値からｃｍｙｋ値への変換に使用するプロファイルの組合せと、ＣＭＹＫ値からｃｍｙｋ値への変換に使用する調整対象プロファイル５５０としての一つのプロファイルと、のいずれか一方の選択を受け付ける処理。
（Ｓ２１２）プロファイル６１０，６２０，６３０の中からいずれか一つを調整対象プロファイル５５０として受け付ける処理。
（Ｓ２１３）ＣＭＹＫ色空間（ＣＳ１）、ｃｍｙｋ色空間（ＣＳ２）、及び、Ｌａｂ色空間（ＣＳ３）の内の２種類以上の色空間の中からいずれか一つを調整対象色空間ＣＳ６として受け付ける処理。
（Ｓ２１４）調整点Ｐ０（調整対象の色の例）を表す座標における調整の目標Ｔ０の入力を受け付ける処理。
（Ｓ２１５）ＣＭＹＫ色空間（ＣＳ１）において調整対象プロファイル５５０のうち目標Ｔ０に基づいて調整する調整範囲の指定を受け付ける処理。
（Ｓ２１６）調整対象プロファイル５５０の対応関係を規定するための複数のレンダリングインテントの中からいずれか一つを指定インテントとして受け付ける処理。
【００５３】
まず、図７，８Ａ〜８Ｄ、１４Ａ〜１４Ｅを参照して、Ｓ２１１の処理を説明する。ここで、図１４Ａ〜１４Ｅにおいて太線で囲まれた要素は調整対象プロファイル５５０を示している。図１４Ｃに示すデバイスリンクプロファイル６３０において、調整対象はデバイスリンクテーブルであり、「元のＡ２Ｂ」は元の入力プロファイルを示し、「元のＢ２Ａ」は出力プロファイルを示している。
ホスト装置１００は、選択欄８１１〜８１３への操作を入力装置１１６により受け付けることにより、記憶装置１１４に記憶されているプロファイル５００の中からプロファイルの選択操作を受け付ける。
【００５４】
入力プロファイル選択欄８１１では、入力プロファイル６１０を色変換に使用する場合に記憶装置１１４に記憶されている入力プロファイル６１０の中から色変換に使用する入力プロファイルを選択可能である。入力プロファイル６１０を色変換に使用しない場合、入力プロファイル選択欄８１１を空欄にしておけばよい。
出力プロファイル選択欄８１２では、出力プロファイル６２０を色変換に使用する場合に記憶装置１１４に記憶されている出力プロファイル６２０の中から色変換に使用する出力プロファイルを選択可能である。出力プロファイル６２０を色変換に使用しない場合、出力プロファイル選択欄８１２を空欄にしておけばよい。
デバイスリンクプロファイル選択欄８１３では、デバイスリンクプロファイル６３０を色変換に使用する場合に記憶装置１１４に記憶されているデバイスリンクプロファイル６３０の中から色変換に使用するデバイスリンクプロファイルを選択可能である。デバイスリンクプロファイル６３０を色変換に使用しない場合、デバイスリンクプロファイル選択欄８１３を空欄にしておけばよい。
【００５５】
図８Ａに示すように入力プロファイル選択欄８１１のみにおいて入力プロファイル６１０が選択された場合、図１４Ａに示すように入力プロファイル６１０のみ色変換に使用することになり、自動的に入力プロファイル６１０が調整対象プロファイル５５０となる。この場合、ＣＭＹＫ値が第一座標値に当てはまり、Ｌａｂ値が第二座標値に当てはまる。
図８Ｂに示すように出力プロファイル選択欄８１２のみにおいて出力プロファイル６２０が選択された場合、図１４Ｂに示すように出力プロファイル６２０のみ色変換に使用することになり、自動的に出力プロファイル６２０が調整対象プロファイル５５０となる。この場合、Ｌａｂ値が第一座標値に当てはまり、ｃｍｙｋ値が第二座標値に当てはまる。
図８Ｃに示すようにデバイスリンクプロファイル選択欄８１３のみにおいてデバイスリンクプロファイル６３０が選択された場合、図１４Ｃに示すようにデバイスリンクプロファイル６３０を色変換に使用することになり、自動的にデバイスリンクプロファイル６３０（具体的には内部のデバイスリンクテーブル）が調整対象プロファイル５５０となる。この場合、ＣＭＹＫ値が第一座標値に当てはまり、ｃｍｙｋ値が第二座標値に当てはまる。
図８Ｄに示すように入力プロファイル選択欄８１１において入力プロファイル６１０が選択され、さらに、出力プロファイル選択欄８１２において出力プロファイル６２０が選択された場合、図１４Ｄ，１４Ｅに示すように入力プロファイル６１０と出力プロファイル６２０とを組み合わせて色変換に使用することになる。この場合、ＣＭＹＫ値が第一座標値に当てはまり、ｃｍｙｋ値が第二座標値に当てはまる。
【００５６】
以上より、選択欄８１１〜８１３において色変換に使用するプロファイルの組合せと、色変換に使用する調整対象プロファイル５５０としての一つのプロファイルと、のいずれか一方が選択される。
【００５７】
次に、図７，９Ａ〜９Ｄ等を参照して、Ｓ２１２の処理を説明する。
ホスト装置１００は、上述した選択欄８１１〜８１３における選択に応じて調整対象プロファイル指定欄８２０の指定項目を変える処理を行っている。
【００５８】
図８Ａに示すように入力プロファイル選択欄８１１のみにおいて入力プロファイル６１０が選択された場合、図９Ａに示すように調整対象プロファイル指定欄８２０には調整対象として入力プロファイル６１０しか指定することができない。
図８Ｂに示すように出力プロファイル選択欄８１２のみにおいて出力プロファイル６２０が選択された場合、図９Ｂに示すように調整対象プロファイル指定欄８２０には調整対象として出力プロファイル６２０しか指定することができない。
図８Ｃに示すようにデバイスリンクプロファイル選択欄８１３のみにおいてデバイスリンクプロファイル６３０が選択された場合、図９Ｃに示すように調整対象プロファイル指定欄８２０には調整対象としてデバイスリンクプロファイル６３０しか指定することができない。
【００５９】
図８Ｄに示すように入力プロファイル選択欄８１１において入力プロファイル６１０が選択され、さらに、出力プロファイル選択欄８１２において出力プロファイル６２０が選択された場合、図９Ｄに示すように調整対象プロファイル指定欄８２０において複数の指定項目の中からいずれか一つの指定項目を選択可能である。複数の指定項目には、入力プロファイル６１０、出力プロファイル６２０、及び、デバイスリンクプロファイル６３０が含まれる。図９Ｄには入力プロファイル６１０が選択されていることが示されている。この場合は、図１４Ｄに示す「（ｂ−１）入出力プロファイルを組み合わせて入力プロファイルを指定」に相当する。調整対象プロファイル指定欄８２０において出力プロファイル６２０が選択された場合は、図１４Ｅに示す「（ｂ−２）入出力プロファイルを組み合わせて出力プロファイルを指定」に相当する。調整対象プロファイル指定欄８２０においてデバイスリンクプロファイル６３０が選択された場合は、図１４Ｃに示す「（ａ−３）デバイスリンクプロファイルを選択」に当てはめることにする。
【００６０】
以上より、入力プロファイル６１０と出力プロファイル６２０の組合せが選択された場合に調整対象プロファイル指定欄８２０においてプロファイル６１０，６２０，６３０の中からいずれか一つが調整対象プロファイル５５０として指定される。
【００６１】
尚、調整対象プロファイル指定欄８２０には調整対象として入力プロファイル６１０と出力プロファイル６２０とデバイスリンクプロファイル６３０のいずれも選択可能として、この選択に応じて上述した選択欄８１１〜８１３への操作の有効又は無効を制御してもよい。
【００６２】
さらに、図７，１０Ａ〜１０Ｃ等を参照して、Ｓ２１３の処理を説明する。
ホスト装置１００は、上述した選択欄８１１〜８１３における選択に応じて調整対象色空間選択欄８３０の選択項目を変える処理を行っている。
【００６３】
図８Ａに示すように入力プロファイル選択欄８１１のみにおいて入力プロファイル６１０が選択された場合、図１０Ａに示すように調整対象色空間選択欄８３０において複数の選択項目のうち一つの選択項目を指定可能である。この場合の複数の選択項目には、「入力データ」と「ＰＣＳ値」が含まれる。「入力データ」は、ＣＭＹＫ色空間（第一の色空間ＣＳ１及び入力色空間ＣＳ４の例）を調整対象色空間ＣＳ６（図１６Ａ参照）として選択する項目である。「ＰＣＳ値」は、Ｌａｂ色空間（第三の色空間ＣＳ３及び出力色空間ＣＳ５の例）を調整対象色空間ＣＳ６（図１６Ｂ参照）として選択する項目である。
図８Ｂに示すように出力プロファイル選択欄８１２のみにおいて出力プロファイル６２０が選択された場合、図１０Ｂに示すように調整対象色空間選択欄８３０において複数の選択項目のうち一つの選択項目を指定可能である。この場合の複数の選択項目には、「ＰＣＳ値」と「出力データ」が含まれる。「ＰＣＳ値」は、Ｌａｂ色空間（第三の色空間ＣＳ３及び入力色空間ＣＳ４の例）を調整対象色空間ＣＳ６（図１６Ｃ参照）として選択する項目である。「出力データ」は、ｃｍｙｋ色空間（第二の色空間ＣＳ２及び出力色空間ＣＳ５の例）を調整対象色空間ＣＳ６（図１６Ｄ参照）として選択する項目である。
【００６４】
図８Ｄに示すように入力プロファイル選択欄８１１において入力プロファイル６１０が選択され、さらに、出力プロファイル選択欄８１２において出力プロファイル６２０が選択された場合、図１０Ｃに示すように調整対象色空間選択欄８３０において複数の選択項目の中からいずれか一つの選択項目を指定可能である。この場合の複数の選択項目には、「入力データ」と「出力データ」と「ＰＣＳ値」が含まれる。「入力データ」は、ＣＭＹＫ色空間（第一の色空間ＣＳ１、及び、入力プロファイル６１０における入力色空間ＣＳ４の例）を調整対象色空間ＣＳ６（図１７Ａ参照）として選択する項目である。「出力データ」は、ｃｍｙｋ色空間（第二の色空間ＣＳ２、及び、出力プロファイル６２０における出力色空間ＣＳ５の例）を調整対象色空間ＣＳ６（図１７Ｂ参照）として選択する項目である。「ＰＣＳ値」は、Ｌａｂ色空間（第三の色空間ＣＳ３、入力プロファイル６１０における出力色空間ＣＳ５、及び、出力プロファイル６２０における入力色空間ＣＳ４の例）を調整対象色空間ＣＳ６（図１７Ｃ参照）として選択する項目である。
図８Ｃに示すようにデバイスリンクプロファイル選択欄８１３のみにおいてデバイスリンクプロファイル６３０が選択された場合も、図１０Ｃに示すように調整対象色空間選択欄８３０において「入力データ」と「出力データ」と「ＰＣＳ値」からいずれか一つを指定可能である。
【００６５】
以上より、ＣＭＹＫ色空間（ＣＳ１）、ｃｍｙｋ色空間（ＣＳ２）、及び、Ｌａｂ色空間（ＣＳ３）の内の２種類以上の色空間の中からいずれか一つが調整対象色空間ＣＳ６として選択される。
【００６６】
さらに、図７，１１Ａ，１１Ｂ，１２等を参照して、Ｓ２１４の処理を説明する。
ホスト装置１００は、上述した欄８１１〜８１３，８３０における選択に応じて目標受付領域８４０の入力項目を変える処理を行っている。また、ホスト装置１００は、調整データ選択欄８４５への選択に応じて目標受付領域８４０の入力項目を変える処理を行っている。
【００６７】
図１１Ａに示すように、調整データ選択欄８４５においては、「絶対値」と「相対値」のいずれか一方を選択可能である。「絶対値」は、調整の目標Ｔ０を色空間の座標値として受け付ける選択肢である。「相対値」は、調整の目標Ｔ０を色空間の現在の座標値からの差分として受け付ける選択肢である。
【００６８】
調整データ選択欄８４５において「絶対値」が選択されると、図１１Ｂに示すように、色空間の現在の座標値（C_L，C_a，C_b）の表示欄とともに調整目標Ｔ０の座標値（T_L，T_a，T_b）の入力欄が目標受付領域８４０に表示される。図１１Ｂには、調整対象色空間ＣＳ６としてＬａｂ色空間が選択された場合の例を示している。
調整データ選択欄８４５において「相対値」が選択されると、図７に示すように、色空間の現在の座標値からの差分としての調整目標Ｔ０の座標値（ΔＬ，Δａ，Δｂ）の入力欄が目標受付領域８４０に表示される。図７は、調整対象色空間ＣＳ６としてＬａｂ色空間が選択された場合の例を示している。
【００６９】
図１１Ｃに示すように、調整目標Ｔ０を設定するための調整点Ｐ０は、ＣＭＹＫ色空間（ＣＳ１）に設定される。ここで、ＣＭＹＫ色空間は４次元の色空間であるため、図１１ＣではＣ軸とＭ軸とＹ軸とで形成される３次元の仮想空間を示している。
【００７０】
例えば、ホスト装置１００は、図７，１１Ｂに示すＵＩ画面８００の「画像から指定」ボタン８４１の操作を受け付けると、ＣＭＹＫ色空間（ＣＳ１）を模式的に表す画面を表示装置１１５に表示し、入力装置１１６による操作に応じたＣＭＹＫ値を取得して目標受付領域８４０の情報を更新する。新たな調整点Ｐ０が指定されると、ホスト装置１００は、対応するＩＤ（識別情報）を付与し、取得したＣＭＹＫ値、及び、該ＣＭＹＫ値から求められる出力色空間ＣＳ５の座標値等をＩＤに対応させて目標受付領域８４０に表示する。追加ボタン８４２が操作されると、ホスト装置１００は、ＩＤを追加し、目標受付領域８４０に追加したＩＤに対応する入力欄を増やす。削除ボタン８４３が操作されると、ホスト装置１００は、削除するＩＤの指定を受け付け、指定されたＩＤに対応する入力欄を削除する。
また、ホスト装置１００は、履歴ロードボタン８８１の操作を受け付けると、記憶装置１１４に記憶されている調整履歴７００を読み出して目標受付領域８４０に追加する。履歴セーブボタン８８２の操作が受け付けられると、ホスト装置１００は、目標受付領域８４０の情報を調整履歴７００として記憶装置１１４に記憶する。
【００７１】
目標受付領域８４０で受け付けられる調整目標Ｔ０は、調整対象色空間選択欄８３０の選択内容、及び、調整データ選択欄８４５の選択内容に応じて、以下のように変わる。
（選択内容１）調整対象色空間ＣＳ６としてＣＭＹＫ色空間が選択され、調整目標Ｔ０の入力に「絶対値」が選択された場合。この場合、調整目標Ｔ０の入力は、ＣＭＹＫ値（T_C，T_M，T_Y，T_Kとする。）となる。このＣＭＹＫ値は、例えば、０〜１００％で表現される。
（選択内容２）調整対象色空間ＣＳ６としてＣＭＹＫ色空間が選択され、調整目標Ｔ０の入力に「相対値」が選択された場合。この場合、調整目標Ｔ０の入力は、ＣＭＹＫ値の現在値（C_C，C_M，C_Y，C_Kとする。）に対する目標値（T_C，T_M，T_Y，T_K）の差分（ΔＣ，ΔＭ，ΔＹ，ΔＫとする。）となる。
（選択内容３）調整対象色空間ＣＳ６としてＬａｂ色空間が選択され、調整目標Ｔ０の入力に「絶対値」が選択された場合。この場合、調整目標Ｔ０の入力は、Ｌａｂ値（T_L，T_a，T_bとする。）となる。
（選択内容４）調整対象色空間ＣＳ６としてＬａｂ色空間が選択され、調整目標Ｔ０の入力に「相対値」が選択された場合。この場合、調整目標Ｔ０の入力は、Ｌａｂ値の現在値（C_L，C_a，C_bとする。）に対する目標値（T_L，T_a，T_b）の差分（ΔＬ，Δａ，Δｂとする。）となる。
（選択内容５）調整対象色空間ＣＳ６としてｃｍｙｋ色空間が選択され、調整目標Ｔ０の入力に「絶対値」が選択された場合。この場合、調整目標Ｔ０の入力は、ｃｍｙｋ値（T_c，T_m，T_y，T_kとする。）となる。このｃｍｙｋ値は、例えば、０〜１００％で表現される。
（選択内容６）調整対象色空間ＣＳ６としてｃｍｙｋ色空間が選択され、調整目標Ｔ０の入力に「相対値」が選択された場合。この場合、調整目標Ｔ０の入力は、ｃｍｙｋ値の現在値（C_c，C_m，C_y，C_kとする。）に対する目標値（T_c，T_m，T_y，T_k）の差分（Δｃ，Δｍ，Δｙ，Δｋとする。）となる。
【００７２】
以上より、調整対象色空間ＣＳ６において調整点Ｐ０を表す座標における調整目標Ｔ０が受け付けられる。
【００７３】
図７，１１Ｂに示す目標受付領域８４０は、複数の調整点Ｐ０を関連付けて調整を行うためのペア指定領域８４４を有している。調整点Ｐ０のペア指定は、例えば、図２３に示すグラデーション画像ＩＭ１のように或る色（例えば白。図２３に示す第一調整点Ｐ１）と別の色（例えば赤や青。図２３に示す第二調整点Ｐ２）との間のグラデーションの全色を調整したい場合に用いられる。ペア指定領域８４４には、或る調整点に関連付ける別の調整点のＩＤが格納される。例えば、ＩＤ＝１の調整点はＩＤ＝０の調整点に関連付けられ、ＩＤ＝２の調整点もＩＤ＝０の調整点に関連付けられていることが示されている。ペア指定領域８４４の「−１」は、別の調整点に関連付けられていないことを示している。
例えば、ホスト装置１００は、図７，１１Ｂに示すペア指定領域８４４への操作を受け付けると、図１２に示すようなペア指定画面９１０を表示装置１１５に表示する。
【００７４】
図１２は、例としてＩＤ＝０〜９の調整点Ｐ０が設定された場合に複数の調整点Ｐ０を関連付けるためのペア指定画面９１０を示している。例えば、ホスト装置１００は、第一調整点Ｐ１にする調整点の第一表示領域９１１への操作を入力装置１１６により受け付け、第二調整点Ｐ２にする調整点の第二表示領域９１２への操作を入力装置１１６により受け付けると、第一表示領域９１１の色９１３を第二表示領域９１２内に表示する。ホスト装置１００は、ＯＫボタン９１５への操作を入力装置１１６により受け付けると、第一座標の第一調整点Ｐ１、及び、第二座標の第二調整点Ｐ２の設定を受け付けたことになる。ここで、調整点Ｐ１，Ｐ２の位置をＣＭＹＫ色空間の座標値で表す場合、図７に示す例では、第一座標のＣＭＹＫ値が（０．００，０．００，０．００，０．００）であり、第二座標のＣＭＹＫ値が（５．１０，１００．００，１００．００，１．１８）である。この場合、図７，１１Ｂに示すペア指定領域８４４のうち第二表示領域９１２に対応する第二調整点Ｐ２の表示領域に第一表示領域９１１に対応する第一調整点Ｐ１のＩＤ「０」が表示される。
【００７５】
ここで、図７，１１Ｂに示す第一調整点Ｐ１における目標Ｔ０は、第一調整点Ｐ１における調整の第一目標Ｔ１（図１３Ｂ参照）であり、第一調整点Ｐ１における調整の程度を表す第一調整データの例である。図７，１１Ｂに示す第二調整点Ｐ２における目標Ｔ０は、第二調整点Ｐ２における調整の第二目標Ｔ２（図１３Ｂ参照）であり、第二調整点Ｐ２における調整の程度を表す第二調整データの例である。
以上より、第一目標Ｔ１及び第二目標Ｔ２が設定される。
【００７６】
さらに、図７等を参照して、Ｓ２１５の処理を説明する。
ホスト装置１００は、調整目標Ｔ０に基づいて調整する調整範囲Ａ０を色空間全体にするか否かの指定を調整範囲指定欄８５０において受け付ける。図７に示す調整範囲指定欄８５０の複数の指定項目には、図示を省略しているが、「入力空間全域」と「半径」とが含まれている。「入力空間全域」が指定された場合、調整範囲Ａ０は色空間全体に設定される。「半径」が指定された場合、ホスト装置１００は、図１１Ｂに示すように目標受付領域８４０の「Radius」の入力欄に調整点Ｐ０を基点とした半径の入力を受け付ける。この半径は、例えば、第一の色空間ＣＳ１におけるユークリッド距離の相対値０〜１００％で表現される。図１１Ｃには、半径（Radius）が指定された場合の調整範囲Ａ０の例が模式的に示されている。
【００７７】
ここで、図１１Ｂに示す第一調整点Ｐ１における半径は、第一調整点Ｐ１を基点とする第一調整範囲Ａ１（図１３Ａ参照）であり、第一調整点Ｐ１における調整の程度を表す第一調整データの例である。図７，１１Ｂに示す第二調整点Ｐ２における半径は、第二調整点Ｐ２を基点とする第二調整範囲Ａ２（図１３Ａ参照）であり、第二調整点Ｐ２における調整の程度を表す第二調整データの例である。
以上より、第一の色空間ＣＳ１において調整対象プロファイル５５０のうち第一調整範囲Ａ１及び第二調整範囲Ａ２が設定される。
【００７８】
さらに、図７等を参照して、Ｓ２１６の処理を説明する。
ホスト装置１００は、調整対象プロファイル５５０の対応関係を規定するためのレンダリングインテントの指定をインテント指定欄８６０において受け付ける。図７に示すインテント指定欄８６０の複数の指定項目は、図示を省略しているが、「Perceptual」（知覚的）、「Relative Colorimetric」（相対的測色的）、及び、「Saturation」（彩度重視）の３種類である。むろん、指定項目に「Absolute Colorimetric」（絶対的測色的）が含まれてもよいし、「Perceptual」と「Relative Colorimetric」と「Saturation」の内の一部が指定項目に無くてもよい。図７には、指定インテントとして「Perceptual」が指定されている例が示されている。
【００７９】
以上より、調整対象プロファイル５５０の対応関係を規定するための複数のレンダリングインテントの中からいずれか一つが指定インテントとして受け付けられる。
【００８０】
ホスト装置１００は、図７に示す調整実施ボタン８７０の操作を受け付けると、図６のＳ２１０の処理を終了させ、ペアの調整点Ｐ１，Ｐ２の間に第三調整点Ｑｘを追加する処理を行う（Ｓ２２０）。ここでの変数ｘは、第三調整点Ｑを識別する変数である。Ｓ２２０の処理では、第一調整点Ｐ１の第一座標と、第二調整点Ｐ２の第二座標と、の間に第三座標の第三調整点Ｑｘを設定している。ここで、調整点Ｐ１，Ｐ２，Ｑｘの位置を表す座標を調整対象プロファイル５５０の入力色空間ＣＳ４の座標値で表すことにしている。例えば、入力プロファイル６１０が調整対象プロファイル５５０である場合、調整点Ｐ１，Ｐ２，Ｑｘの座標はＣＭＹＫ値で表される。出力プロファイル６２０が調整対象プロファイル５５０である場合、調整点Ｐ１，Ｐ２，Ｑｘの座標はＬａｂ値で表される。デバイスリンクプロファイル６３０が調整対象プロファイル５５０である場合、調整点Ｐ１，Ｐ２，Ｑｘの座標はＣＭＹＫ値で表される。
【００８１】
図１３Ａは、入力色空間ＣＳ４がＣＭＹＫ色空間である場合に第一調整点Ｐ１と第二調整点Ｐ２との間に第三調整点Ｑｘを追加して第三調整点Ｑｘを基点とする第三調整範囲Ａ３を決定する様子を模式的に例示している。ＣＭＹＫ色空間には座標軸としてＣ軸、Ｍ軸、Ｙ軸、及び、Ｋ軸があるが、図１３Ａでは、分かり易く示すため、Ｃ軸とＭ軸とを通る平面において調整対象プロファイル５５０の入力色空間ＣＳ４を示している。ここで、白丸は調整対象プロファイル５５０の格子点ＧＤ０を示し、黒丸は調整点Ｐ１，Ｐ２を示し、ハッチングを付した丸印は第三調整点Ｑｘを示している。図１３ＡのＣ軸及びＹ軸には、格子点ＧＤ０の間隔ΔＧＤを１単位とした座標値を示している。
【００８２】
追加する第三調整点Ｑｘは、調整対象プロファイル５５０の入力色空間ＣＳ４において調整点Ｐ１，Ｐ２を結んだ線上に生成することにしている。追加する第三調整点Ｑｘは、入力色空間ＣＳ４の格子点ＧＤ０の間隔ΔＧＤに基づいた数Ｎ０にしている。ここで、調整対象プロファイル５５０の格子点間に最低１箇所の第三調整点Ｑｘが入る範囲でなるべく少なくなるように数Ｎ０を設定している。
【００８３】
例えば、入力色空間ＣＳ４がＣＭＹＫ色空間であり、格子点ＧＤ０の間隔ΔＧＤを単位とした第一調整点Ｐ１の座標が（Ｃ１，Ｍ１，Ｙ１，Ｋ１）であり、格子点ＧＤ０の間隔ΔＧＤを単位とした第二調整点Ｐ２の座標が（Ｃ２，Ｍ２，Ｙ２，Ｋ２）であるとする。この場合、第三調整点Ｑｘの位置は、例えば、以下のようにして設定することができる。
まず、ＣＭＹＫ色空間のＣ軸、Ｍ軸、Ｙ軸、及び、Ｋ軸の内、格子点ＧＤ０の間隔ΔＧＤを単位とした第一調整点Ｐ１と第二調整点Ｐ２との間の距離が最も長い座標軸を選択する。これは、｜Ｃ２−Ｃ１｜、｜Ｍ２−Ｍ１｜、｜Ｙ２−Ｙ１｜、及び、｜Ｋ２−Ｋ１｜のうち最も大きい値となる座標軸を選択すればよい。図１３Ａの例では、５＜｜Ｃ２−Ｃ１｜＜６、及び、４＜｜Ｍ２−Ｍ１｜＜５であり、｜Ｃ２−Ｃ１｜が｜Ｍ２−Ｍ１｜、｜Ｙ２−Ｙ１｜、及び、｜Ｋ２−Ｋ１｜よりも大きいとして、Ｃ軸が選択されたことが示されている。
【００８４】
次に、選択された座標軸の方向において、格子点ＧＤ０の間隔ΔＧＤ以下の間隔となる数Ｎ０の第三調整点Ｑｘを設定する。図１３Ａには、第三調整点Ｑｘの数Ｎ０をなるべく少なくする例を示している。例えば、Ｃ軸が選択され、Ｎ１＜｜Ｃ２−Ｃ１｜≦Ｎ１＋１（Ｎ１は正の整数）である場合、Ｎ０＝Ｎ１にすれば、Ｃ軸方向において第三調整点Ｑｘの間隔が格子点ＧＤ０の間隔ΔＧＤ以下となり、調整対象プロファイル５５０の格子点間に最低１箇所の第三調整点Ｑｘが入る。図１３Ａの例では、５＜｜Ｃ２−Ｃ１｜＜６であるので、Ｎ０＝５となる。
第三調整点Ｑｘの数Ｎ０をなるべく少なくするのは、図５のＳ１０４〜Ｓ１２０の処理にかかる時間をなるべく少なくするためである。一方、処理時間は長くなっても出力画像の階調性をさらに向上させるため、例えば、図２５Ａに示すように第三調整点Ｑｘの数Ｎ０を増やしてもよい。
【００８５】
入力色空間ＣＳ４がＬａｂ色空間である場合も、同様にして第三調整点Ｑｘを追加することができる。ここで、格子点ＧＤ０の間隔ΔＧＤを単位とした第一調整点Ｐ１の座標が（Ｌ１，ａ１，ｂ１）であり、格子点ＧＤ０の間隔ΔＧＤを単位とした第二調整点Ｐ２の座標が（Ｌ２，ａ２，ｂ２）であるとする。まず、Ｌａｂ色空間のＬ軸、ａ軸、及び、ｂ軸の内、｜Ｌ２−Ｌ１｜、｜ａ２−ａ１｜、及び、｜ｂ２−ｂ１｜のうち最も大きい値となる座標軸を選択すればよい。次に、選択された座標軸の方向において、格子点ＧＤ０の間隔ΔＧＤ以下の間隔となる数Ｎ０の第三調整点Ｑｘを設定すればよい。
【００８６】
図１４Ｅに示す（ｂ−２）の場合、すなわち、色変換用にプロファイル６１０，６２０の組合せが選択されて調整対象プロファイル５５０に出力プロファイル６２０が指定された場合、ホスト装置１００は、ＣＭＹＫ値で指定された調整点Ｐ１，Ｐ２の座標をＬａｂ値に変換して第三調整点Ｑｘを設定する。この場合、入力プロファイル６１０のＡ２Ｂテーブルを参照して、第一調整点Ｐ１の座標（Ｃ１，Ｍ１，Ｙ１，Ｋ１）を（Ｌ１，ａ１，ｂ１）に変換し、第二調整点Ｐ２の座標（Ｃ２，Ｍ２，Ｙ２，Ｋ２）を（Ｌ２，ａ２，ｂ２）に変換すればよい。
【００８７】
ここで、図１５にも示すように、プロファイル（例えばＩＣＣプロファイル）に従った変換をｆicc（第１引き数，第２引き数，第３引き数）で表すことにする。ただし、第１引き数は、使用するプロファイルを表す。第１引き数において、InputProfileは入力プロファイルを表す。第２引き数において、A2Bはデバイスカラーからデバイス非依存カラーへの変換を表し、B2Aはデバイス非依存カラーからデバイスカラーへの変換を表す。第３引き数のInputは、調整点Ｐ０の入力値（ＣＭＹＫ、ＲＧＢ、Ｌａｂ、等）を表す。入力プロファイル６１０のＡ２Ｂテーブルを参照したＣＭＹＫ値からＬａｂ値への変換は、ｆicc（InputProfile，A2B，Input）で表される。
【００８８】
Ｌａｂ色空間において第三調整点Ｑｘの座標（Ｌ３，ａ３，ｂ３とする。）を設定すると、入力プロファイル６１０のＢ２Ａテーブルを参照して第三調整点Ｑｘの座標（Ｌ３，ａ３，ｂ３）をＣＭＹＫ値（Ｃ３，Ｍ３，Ｙ３，Ｋ３とする。）に変換すればよい。この変換は、ｆicc（InputProfile，B2A，Input）で表される。
【００８９】
第三調整点Ｑの追加後、ホスト装置１００は、第一調整点Ｐ１の第一目標Ｔ１、及び、第二調整点Ｐ２の第二目標Ｔ２に基づいて、第三調整点Ｑｘの第三目標Ｔ３を決定する（Ｓ２２２）。Ｓ２２２の処理では、第一調整点Ｐ１の第一座標に対する第一目標Ｔ１、及び、第二調整点Ｐ２の第二座標に対する第二目標Ｔ２に基づいて、第三調整点Ｑｘの第三座標に対する第三目標Ｔ３を内挿している。
【００９０】
図１３Ｂは、第三調整点Ｑｘにおける調整の第三目標Ｔ３を内挿補間により決定する様子を模式的に示している。図１３Ｂにおいて、横軸は調整点Ｐ１，Ｑｘ，Ｐ２の位置を示し、縦軸は調整量AdjustDataを示している。この調整量AdjustDataは、相対値で表され、ＣＭＹＫ値（ΔＣｐ，ΔＭｐ，ΔＹｐ，ΔＫｐとする。）、Ｌａｂ値（ΔＬｐ，Δａｐ，Δｂｐとする。）、又は、ｃｍｙｋ値（Δｃｐ，Δｍｐ，Δｙｐ，Δｋｐとする。）で表される。
【００９１】
例えば、調整量AdjustDataがＣＭＹＫ値であり、第一調整点Ｐ１の調整量AdjustData（第一目標Ｔ１の例）が（ΔＣ１，ΔＭ１，ΔＹ１，ΔＫ１）であり、第二調整点Ｐ２の調整量AdjustData（第二目標Ｔ２の例）が（ΔＣ２，ΔＭ２，ΔＹ２，ΔＫ２）であるとする。第三調整点Ｑｘの調整量AdjustData（第三目標Ｔ３の例）を（ΔＣ３ｘ，ΔＭ３ｘ，ΔＹ３ｘ，ΔＫ３ｘ）で表すと、以下の補間式により第三調整点Ｑｘの調整量AdjustDataを算出することができる。
ΔＣ３ｘ＝ΔＣ１＋ｘ・（ΔＣ２−ΔＣ１）／（Ｎ０＋１）
ΔＭ３ｘ＝ΔＭ１＋ｘ・（ΔＭ２−ΔＭ１）／（Ｎ０＋１）
ΔＹ３ｘ＝ΔＹ１＋ｘ・（ΔＹ２−ΔＹ１）／（Ｎ０＋１）
ΔＫ３ｘ＝ΔＫ１＋ｘ・（ΔＫ２−ΔＫ１）／（Ｎ０＋１）
調整量AdjustDataがＬａｂ値やｃｍｙｋ値である場合も、同様にして第三調整点Ｑｘの調整量AdjustDataを算出することができる。尚、第三調整点Ｑｘの調整量AdjustDataは、調整点Ｐ１，Ｐ２の調整量AdjustDataの内挿値に限定されず、内挿値からずれた値にすることも可能である。
【００９２】
また、ホスト装置１００は、第一調整点Ｐ１を基点とする第一調整範囲Ａ１、及び、第二調整点Ｐ２を基点とする第二調整範囲Ａ２に基づいて、第三調整点Ｑｘを基点とする第三調整範囲Ａ３を決定し（Ｓ２２４）、プロファイル及びパラメーター設定処理を終了させる。Ｓ２２４の処理は、Ｓ２２２の処理の前に行ってもよい。Ｓ２２４では、第一調整点Ｐ１の第一座標に対する第一調整範囲Ａ１、及び、第二調整点Ｐ２の第二座標に対する第二調整範囲Ａ２に基づいて、第三調整点Ｑｘの第三座標に対する第三調整範囲Ａ３を内挿している。
【００９３】
図１３Ａには、第三調整点Ｑｘを基点とする第三調整範囲Ａ３を内挿補間により決定する様子も模式的に示している。例えば、第一調整点Ｐ１を基点とする第一調整範囲Ａ１がRadius_1であり、第二調整点Ｐ２を基点とする第二調整範囲Ａ２がRadius_2であるとする。第三調整点Ｑｘを基点とする第三調整範囲Ａ３をRadius_3xで表すと、以下の補間式により第三調整範囲Ａ３を求めることができる。
Radius_3x＝Radius_1＋ｘ・（Radius_2−Radius_1）／（Ｎ０＋１）
尚、第三調整点Ｑｘを基点とする第三調整範囲Ａ３は、調整点Ｐ１，Ｐ２を基点とする調整範囲Ａ１，Ａ２の内挿値に限定されず、内挿値からずれた値にすることも可能である。
【００９４】
ホスト装置１００は、図６のＳ２２４の処理を終了させると、図５のＳ１０４以降の処理を行う。ここで、インテント指定欄８６０で「Perceptual」（知覚的）が指定された場合、ホスト装置１００は、Ｓ１０４以降の処理においてプロファイル５００のうち図４で示したA2B0タグ、及び、B2A0タグに従った情報を使用する。インテント指定欄８６０で「Relative Colorimetric」（相対的測色的）が指定された場合、ホスト装置１００は、Ｓ１０４以降の処理においてプロファイル５００のうち図４で示したA2B1タグ、及び、B2A1タグに従った情報を使用する。インテント指定欄８６０で「Saturation」（彩度重視）が指定された場合、ホスト装置１００は、Ｓ１０４以降の処理においてプロファイル５００のうち図４で示したA2B2タグ、及び、B2A2タグに従った情報を使用する。
【００９５】
まず、ホスト装置１００は、目標受付領域８４０に入力された各調整点Ｐ０、及び、追加された第三調整点Ｑｘについて、プロファイル選択欄８１１〜８１３で指定された色変換用のプロファイル（プロファイルの組合せを含む。）に従って現在の出力値CurrentOutを求める（Ｓ１０４）。これは、被印刷物ＭＥ１に形成される出力画像ＩＭ０の色に対応する出力色ｃｍｙｋpを基準として調整を行うためである。指定インテントに応じた情報がプロファイルにある場合は、指定インテントに応じた情報に従って色変換が行われる。
以下の説明において、単に調整点Ｐ０と記載する場合、調整点Ｐ０に第三調整点Ｑｘが含まれるものとする。
【００９６】
例えば、図１４Ａに示すように色変換用に入力プロファイル６１０のみ指定された場合（ａ−１）、各調整点Ｐ０の入力値Inputは、ＣＭＹＫ値（Ｃｐ，Ｍｐ，Ｙｐ，Ｋｐとする。）となる。この場合、現在の出力値CurrentOutは、Ｌａｂ値（Ｌｐ，ａｐ，ｂｐとする。）となる。ここでの変数ｐは、調整点Ｐ０を識別する変数である。
【００９７】
ここで、上述したように、プロファイルに従った変換をｆicc（第１引き数，第２引き数，第３引き数）で表すことにする。ただし、第１引き数は、使用するプロファイルを表す。第１引き数において、InputProfileは入力プロファイルを表し、OutputProfileは出力プロファイルを表し、DLProfileはデバイスリンクプロファイルを表す。第２引き数において、A2Bはデバイスカラーからデバイス非依存カラーへの変換を表し、B2Aはデバイス非依存カラーからデバイスカラーへの変換を表し、A2B0はデバイスリンクテーブルによる変換を表す。第３引き数のInputは、調整点Ｐ０の入力値（ＣＭＹＫ、ＲＧＢ、Ｌａｂ、等）を表す。
【００９８】
上記（ａ−１）の場合、調整対象プロファイル５５０は自動的に入力プロファイル６１０となり、以下の式により現在の出力値CurrentOutを算出することができる（図１５参照）。
CurrentOut＝ficc（InputProfile，A2B，Input）
【００９９】
図１４Ｂに示すように、色変換用に出力プロファイル６２０のみ指定された場合（ａ−２）、各調整点Ｐ０の入力値Inputは、Ｌａｂ値（Ｌｐ，ａｐ，ｂｐとする。）となる。この場合、現在の出力値CurrentOutは、ｃｍｙｋ値（ｃｐ，ｍｐ，ｙｐ，ｋｐとする。）となる。
上記（ａ−２）の場合、調整対象プロファイル５５０は自動的に出力プロファイル６２０となり、以下の式により現在の出力値CurrentOutを算出することができる（図１５参照）。
CurrentOut＝ficc（OutputProfile，B2A，Input）
【０１００】
図１４Ｃに示すように、色変換用にデバイスリンクプロファイル６３０が指定された場合（ａ−３）、各調整点Ｐ０の入力値Inputは、ＣＭＹＫ値（Ｃｐ，Ｍｐ，Ｙｐ，Ｋｐ）となる。この場合、現在の出力値CurrentOutは、ｃｍｙｋ値（ｃｐ，ｍｐ，ｙｐ，ｋｐ）となる。
上記（ａ−３）の場合、調整対象プロファイル５５０は自動的にデバイスリンクプロファイル６３０となり、以下の式により現在の出力値CurrentOutを算出することができる（図１５参照）。
CurrentOut＝ficc（DLProfile，A2B0，Input）
【０１０１】
図１４Ｄ，１４Ｅに示すように、色変換用にプロファイル６１０，６２０の組合せが指定された場合（ｂ−１），（ｂ−２）、各調整点Ｐ０の入力値Inputは、ＣＭＹＫ値（Ｃｐ，Ｍｐ，Ｙｐ，Ｋｐ）となる。この場合、現在の出力値CurrentOutは、ｃｍｙｋ値（ｃｐ，ｍｐ，ｙｐ，ｋｐ）となる。
上記（ｂ−１），（ｂ−２）の場合、調整対象プロファイル５５０が入力プロファイル６１０であっても出力プロファイル６２０であっても、以下の式により現在の出力値CurrentOutを算出することができる（図１５参照）。
CurrentOut＝ficc（OutputProfile，B2A，ficc（InputProfile，A2B，Input））
【０１０２】
現在の出力値CurrentOutの算出後、ホスト装置１００は、各調整点Ｐ０（第三調整点Ｑｘを含む。）について、プロファイル選択欄８１１〜８１３で指定された色変換用のプロファイル（プロファイルの組合せを含む。）、及び、調整対象色空間選択欄８３０で指定された調整対象色空間ＣＳ６に従って目標出力値TargetOutを求める（Ｓ１０６）。これは、被印刷物ＭＥ１に形成される出力画像ＩＭ０の色に対応する出力色ｃｍｙｋpを基準として調整を行うためである。指定インテントに応じた情報がプロファイルにある場合は、指定インテントに応じた情報に従って色変換が行われる。
【０１０３】
例えば、図１６Ａに示すように色変換用に入力プロファイル６１０のみ指定されて調整対象色空間ＣＳ６に入力色空間ＣＳ４が指定された場合（ａ−１−１）、ＣＭＹＫ色空間においてＣＭＹＫ値（Ｃｐ，Ｍｐ，Ｙｐ，Ｋｐ）に調整量AdjustDataが加えられる。この調整量AdjustDataは、相対値（ΔＣｐ，ΔＭｐ，ΔＹｐ，ΔＫｐ）で表される。ＣＭＹＫ色空間において、調整後のＣＭＹＫ値は、（Ｃｐ＋ΔＣｐ，Ｍｐ＋ΔＭｐ，Ｙｐ＋ΔＹｐ，Ｋｐ＋ΔＫｐ）で表される。
上記（ａ−１−１）の場合、以下の式により目標出力値TargetOutを算出することができる（図１８参照）。
TargetOut＝ficc（InputProfile，A2B，Input＋AdjustData）
【０１０４】
図１６Ｂに示すように色変換用に入力プロファイル６１０のみ指定されて調整対象色空間ＣＳ６に出力色空間ＣＳ５が指定された場合（ａ−１−２）、Ｌａｂ色空間においてＬａｂ値（Ｌｐ，ａｐ，ｂｐ）に調整量AdjustDataが加えられる。この調整量AdjustDataは、相対値（ΔＬｐ，Δａｐ，Δｂｐ）で表される。Ｌａｂ色空間において、調整後のＬａｂ値は、（Ｌｐ＋ΔＬｐ，ａｐ＋Δａｐ，ｂｐ＋Δｂｐ）で表される。
上記（ａ−１−２）の場合、以下の式により目標出力値TargetOutを算出することができる（図１８参照）。
TargetOut＝ficc（InputProfile，A2B，Input）＋AdjustData
【０１０５】
図１６Ｃに示すように色変換用に出力プロファイル６２０のみ指定されて調整対象色空間ＣＳ６に入力色空間ＣＳ４が指定された場合（ａ−２−１）、Ｌａｂ色空間においてＬａｂ値（Ｌｐ，ａｐ，ｂｐ）に調整量AdjustDataが加えられる。この調整量AdjustDataは、相対値（ΔＬｐ，Δａｐ，Δｂｐ）で表される。Ｌａｂ色空間において、調整後のＬａｂ値は、（Ｌｐ＋ΔＬｐ，ａｐ＋Δａｐ，ｂｐ＋Δｂｐ）で表される。
上記（ａ−２−１）の場合、以下の式により目標出力値TargetOutを算出することができる（図１８参照）。
TargetOut＝ficc（OutputProfile，B2A，Input＋AdjustData）
【０１０６】
図１６Ｄに示すように色変換用に出力プロファイル６２０のみ指定されて調整対象色空間ＣＳ６に出力色空間ＣＳ５が指定された場合（ａ−２−２）、ｃｍｙｋ色空間においてｃｍｙｋ値（ｃｐ，ｍｐ，ｙｐ，ｋｐ）に調整量AdjustDataが加えられる。この調整量AdjustDataは、相対値（Δｃｐ，Δｍｐ，Δｙｐ，Δｋｐ）で表される。ｃｍｙｋ色空間において、調整後のｃｍｙｋ値は、（ｃｐ＋Δｃｐ，ｍｐ＋Δｍｐ，ｙｐ＋Δｙｐ，ｋｐ＋Δｋｐ）で表される。
上記（ａ−２−２）の場合、以下の式により目標出力値TargetOutを算出することができる（図１８参照）。
TargetOut＝ficc（OutputProfile，B2A，Input）＋AdjustData
【０１０７】
色変換用にデバイスリンクプロファイル６３０が指定されて調整対象色空間ＣＳ６に入力色空間ＣＳ４が指定された場合（ａ−３−１）、ＣＭＹＫ色空間においてＣＭＹＫ値（Ｃｐ，Ｍｐ，Ｙｐ，Ｋｐ）に調整量AdjustDataが加えられる。この調整量AdjustDataは、相対値（ΔＣｐ，ΔＭｐ，ΔＹｐ，ΔＫｐ）で表される。ＣＭＹＫ色空間において、調整後のＣＭＹＫ値は、（Ｃｐ＋ΔＣｐ，Ｍｐ＋ΔＭｐ，Ｙｐ＋ΔＹｐ，Ｋｐ＋ΔＫｐ）で表される。
上記（ａ−３−１）の場合、以下の式により目標出力値TargetOutを算出することができる（図１８参照）。
TargetOut＝ficc（DLProfile，A2B0，Input＋AdjustData）
【０１０８】
色変換用にデバイスリンクプロファイル６３０が指定されて調整対象色空間ＣＳ６に出力色空間ＣＳ５が指定された場合（ａ−３−２）、ｃｍｙｋ色空間においてｃｍｙｋ値（ｃｐ，ｍｐ，ｙｐ，ｋｐ）に調整量AdjustDataが加えられる。この調整量AdjustDataは、相対値（Δｃｐ，Δｍｐ，Δｙｐ，Δｋｐ）で表される。ｃｍｙｋ色空間において、調整後のｃｍｙｋ値は、（ｃｐ＋Δｃｐ，ｍｐ＋Δｍｐ，ｙｐ＋Δｙｐ，ｋｐ＋Δｋｐ）で表される。
上記（ａ−３−２）の場合、以下の式により目標出力値TargetOutを算出することができる（図１８参照）。
TargetOut＝ficc（DLProfile，A2B0，Input）＋AdjustData
【０１０９】
尚、図示していないが、調整対象色空間ＣＳ６にＬａｂ色空間が指定されることを想定してもよい。この場合、Ｌａｂ色空間は、入力プロファイル６１０における出力色空間ＣＳ５であり、出力プロファイル６２０における入力色空間ＣＳ４である。目標出力値TargetOutは、例えば、デバイスリンクプロファイル６３０を作成するために用いられた出力プロファイルを参照することにより算出することができる。
【０１１０】
図１７Ａに示すように色変換用にプロファイル６１０，６２０の組合せが指定されて調整対象色空間ＣＳ６に入力プロファイル６１０の入力色空間ＣＳ４が指定された場合（ｂ−１−１）、ＣＭＹＫ色空間においてＣＭＹＫ値（Ｃｐ，Ｍｐ，Ｙｐ，Ｋｐ）に調整量AdjustDataが加えられる。この調整量AdjustDataは、相対値（ΔＣｐ，ΔＭｐ，ΔＹｐ，ΔＫｐ）で表される。ＣＭＹＫ色空間において、調整後のＣＭＹＫ値は、（Ｃｐ＋ΔＣｐ，Ｍｐ＋ΔＭｐ，Ｙｐ＋ΔＹｐ，Ｋｐ＋ΔＫｐ）で表される。
上記（ｂ−１−１）の場合、以下の式により目標出力値TargetOutを算出することができる（図１８参照）。
TargetOut
＝ficc（OutputProfile，B2A，ficc（InputProfile，A2B，Input＋AdjustData））
上記式は、調整対象プロファイル５５０が出力プロファイル６２０であっても同じになる。
【０１１１】
図１７Ｂに示すように色変換用にプロファイル６１０，６２０の組合せが指定されて調整対象色空間ＣＳ６に出力プロファイル６２０の出力色空間ＣＳ５が指定された場合（ｂ−１−２）、ｃｍｙｋ色空間においてｃｍｙｋ値（ｃｐ，ｍｐ，ｙｐ，ｋｐ）に調整量AdjustDataが加えられる。この調整量AdjustDataは、相対値（Δｃｐ，Δｍｐ，Δｙｐ，Δｋｐ）で表される。ｃｍｙｋ色空間において、調整後のｃｍｙｋ値は、（ｃｐ＋Δｃｐ，ｍｐ＋Δｍｐ，ｙｐ＋Δｙｐ，ｋｐ＋Δｋｐ）で表される。
上記（ｂ−１−２）の場合、以下の式により目標出力値TargetOutを算出することができる（図１８参照）。
TargetOut
＝ficc（OutputProfile，B2A，ficc（InputProfile，A2B，Input））＋AdjustData
上記式は、調整対象プロファイル５５０が出力プロファイル６２０であっても同じになる。
【０１１２】
図１７Ｃに示すように色変換用にプロファイル６１０，６２０の組合せが指定されて調整対象色空間ＣＳ６にＰＣＳ（入力プロファイル６１０における出力色空間ＣＳ５、及び、出力プロファイル６２０における入力色空間ＣＳ４）が指定された場合（ｂ−１−３）、Ｌａｂ色空間においてＬａｂ値（Ｌｐ，ａｐ，ｂｐ）に調整量AdjustDataが加えられる。この調整量AdjustDataは、相対値（ΔＬｐ，Δａｐ，Δｂｐ）で表される。Ｌａｂ色空間において、調整後のＬａｂ値は、（Ｌｐ＋ΔＬｐ，ａｐ＋Δａｐ，ｂｐ＋Δｂｐ）で表される。
上記（ｂ−１−３）の場合、以下の式により目標出力値TargetOutを算出することができる（図１８参照）。
TargetOut
＝ficc（OutputProfile，B2A，ficc（InputProfile，A2B，Input）＋AdjustData）
上記式は、調整対象プロファイル５５０が出力プロファイル６２０であっても同じになる。
【０１１３】
尚、目標出力値TargetOutの算出は、調整目標Ｔ０が出力座標値で表されている場合には省略可能であり、調整目標Ｔ０が出力座標値で表されていない場合に限定して行ってもよい。
【０１１４】
目標出力値TargetOutの算出後、ホスト装置１００は、各調整点Ｐ０について、調整対象プロファイル５５０における入力値Input_P、及び、調整目標値TargetOut_Pを取得する（Ｓ１０８）。これは、調整対象プロファイル５５０における入力値と出力値との対応関係を調整するためである。指定インテントに応じた情報がプロファイルにある場合は、指定インテントに応じた情報に従って色変換が行われる。
【０１１５】
図１４Ａ，１４Ｂ，１４Ｃで示した（ａ−１），（ａ−２），（ａ−３）の場合、すなわち、色変換用に一つのプロファイル（プロファイル６１０，６２０，６３０のいずれか一つ）が指定された場合、指定されたプロファイルが調整対象プロファイル５５０である。従って、指定されたプロファイルの入力値Inputが調整対象プロファイル５５０における入力値Input_Pとして用いられ、指定されたプロファイルの目標出力値TargetOutが調整対象プロファイル５５０における調整目標値TargetOut_Pとして用いられる。式としては、以下のように表される（図２０参照）。
Input_P＝Input
TargetOut_P＝TargetOut
【０１１６】
また、調整対象プロファイル５５０における現在の出力値CurrentOut_Pは、指定されたプロファイルの現在の出力値CurrentOutである。
CurrentOut_P＝CurrentOut
調整目標Ｔ０の相対値を調整対象プロファイル５５０の出力色空間ＣＳ５で表すと、TargetOut_P−CurrentOut_Pとなる。
【０１１７】
図１９Ａに示すように、図１４Ｄで示した（ｂ−１）の場合、すなわち、色変換用にプロファイル６１０，６２０の組合せが選択されて調整対象プロファイル５５０に入力プロファイル６１０が指定された場合、プロファイル６１０，６２０の組合せの入力値Inputは調整対象プロファイル５５０における入力値Input_Pとして用いられる。調整対象プロファイル５５０の調整目標値TargetOut_P（Ｌａｂ値）は、ｃｍｙｋ値である目標出力値TargetOutから算出することができる（図２０参照）。
Input_P＝Input
TargetOut_P＝ficc（OutputProfile，A2B，TargetOut）
調整対象プロファイル５５０の調整目標値TargetOut_P（Ｌａｂ値）を目標出力値TargetOut（ｃｍｙｋ値）から求めるのは、出力画像ＩＭ０の色に対応する出力色ｃｍｙｋpを基準として調整を行うためである。
【０１１８】
また、調整対象プロファイル５５０における現在の出力値CurrentOut_P（Ｌａｂ値）は、以下の式で表される。
CurrentOut_P＝ficc（InputProfile，A2B，Input）
調整目標Ｔ０の相対値を調整対象プロファイル５５０の出力色空間ＣＳ５で表すと、TargetOut_P−CurrentOut_Pとなる。
【０１１９】
図１９Ｂに示すように、図１４Ｅで示した（ｂ−２）の場合、すなわち、色変換用にプロファイル６１０，６２０の組合せが選択されて調整対象プロファイル５５０に出力プロファイル６２０が指定された場合、プロファイル６１０，６２０の組合せの目標出力値TargetOutは調整対象プロファイル５５０における調整目標値TargetOut_Pとして用いられる。調整対象プロファイル５５０の入力値Input_P（Ｌａｂ値）は、ＣＭＹＫ値である入力値Input（ＣＭＹＫ値）から算出することができる（図２０参照）。
Input_P＝ ficc（InputProfile，A2B，Input）
TargetOut_P＝TargetOut
【０１２０】
また、調整対象プロファイル５５０における現在の出力値CurrentOut_P（ｃｍｙｋ値）は、プロファイル６１０，６２０の組合せの現在の出力値CurrentOutである。
CurrentOut_P＝CurrentOut
調整目標Ｔ０の相対値を調整対象プロファイル５５０の出力色空間ＣＳ５で表すと、TargetOut_P−CurrentOut_Pとなる。
【０１２１】
調整対象プロファイル５５０における入力値Input_P、及び、調整目標値TargetOut_Pの取得後、ホスト装置１００は、Ｓ１１０〜Ｓ１１２において、調整目標Ｔ０に基づいて調整対象プロファイル５５０の調整範囲Ａ０を調整する。
【０１２２】
まず、図２１Ａ，２１Ｂを参照して、調整範囲Ａ０において調整対象プロファイル５５０を調整する概念を説明する。ここで、図２１Ａ，２１Ｂにおいて、横軸は入力色空間ＣＳ４の或る座標軸に沿った入力値を示し、縦軸は出力色空間ＣＳ５の或る座標軸に沿った出力値を示している。例えば、入力色空間ＣＳ４がＣＭＹＫ色空間である場合、横軸は、Ｃ軸、Ｍ軸、Ｙ軸、又は、Ｋ軸となる。出力色空間ＣＳ５がＬａｂ色空間である場合、縦軸は、Ｌ軸、ａ軸、又は、ｂ軸となる。横軸上の白丸は、格子点ＧＤ０を示している。
【０１２３】
図２１Ａは、出力値を調整する場合の各格子点ＧＤ０の調整量ＡＤを模式的に例示している。調整点Ｐ０は、入力値Input_Pに対応している。調整目標Ｔ０として調整量AdjustDataが与えられると、入力値Input_Pに対応する現在の出力値CurrentOut_Pに調整量AdjustDataが加えられた調整目標値TargetOut_Pが設定される。むろん、調整対象色空間ＣＳ６がｃｍｙｋ色空間であれば、現在の出力値CurrentOut_P、及び、調整目標値TargetOut_Pはｃｍｙｋ値で表され、調整量AdjustDataはｃｍｙｋ値の相対値（Δｃｐ，Δｍｐ，Δｙｐ，Δｋｐ）で表される。調整対象色空間ＣＳ６がＬａｂ色空間であれば、現在の出力値CurrentOut_P、及び、調整目標値TargetOut_PはＬａｂ値で表され、調整量AdjustDataはＬａｂ値の相対値（ΔＬｐ，Δａｐ，Δｂｐ）で表される。
図７で示した調整範囲指定欄８５０及び目標受付領域８４０への入力、並びに、図６のＳ２２４の処理により、調整量AdjustDataには調整範囲Ａ０が設定されている。調整範囲指定欄８５０に対して「半径」が指定された場合、基本的には、入力値Input_Pに対する出力値の調整量を最大にして調整範囲Ａ０の境界で調整量を０にするようにしている。ただし、実際の調整は調整対象プロファイル５５０の格子点ＧＤ０に対して行われるため、設定された調整範囲Ａ０よりも広い範囲まで調整が影響することがある。
【０１２４】
図２１Ｂは、入力値を調整する場合の各格子点ＧＤ０の調整量ＡＤを模式的に例示している。調整点Ｐ０は、入力値Input_Pに対応している。調整目標Ｔ０として調整量AdjustDataが設定されると、入力値Input_Pに調整量AdjustDataが加えられた入力値Input_P＋AdjustDataに対応する出力値が調整点Ｐ０において期待される出力値となる。むろん、調整対象色空間ＣＳ６がＣＭＹＫ色空間であれば、入力値Input_PはＣＭＹＫ値で表され、調整量AdjustDataはＣＭＹＫ値の相対値（ΔＣｐ，ΔＭｐ，ΔＹｐ，ΔＫｐ）で表される。調整対象色空間ＣＳ６がＬａｂ色空間であれば、入力値Input_PはＬａｂ値で表され、調整量AdjustDataはＬａｂ値の相対値（ΔＬｐ，Δａｐ，Δｂｐ）で表される。
【０１２５】
上述した補正は、入力色空間ＣＳ４の全座標軸、及び、出力色空間ＣＳ５の全座標値について、行われる。
【０１２６】
次に、図２２Ａ，２２Ｂを参照して、調整範囲Ａ０の各格子点ＧＤ０に調整量ＡＤを設定する例を説明する。ここで、図２２Ａ，２２Ｂにおいて、横軸は入力値を示し、縦軸は出力値の調整量ＡＤを示している。また、横軸上の三角印は調整範囲Ａ０にある格子点（最近傍格子点ＧＤnearestを除く。）を示し、横軸上の四角印は調整範囲Ａ０外の出力値が修正されない格子点を示している。
まず、図２２Ａに示すように、ホスト装置１００は、各調整点Ｐ０について、調整点Ｐ０に最も近い格子点である最近傍格子点ＧＤnearestに対する出力値の調整量ＡＤ１を決定する（図５のＳ１１０）。図２２Ａには、入力色空間ＣＳ４の或る座標軸上に調整点Ｐ０（入力値Input_P）が４点ある場合の出力値の調整量ＡＤ１を決定する例を示している。図２２Ａの例では、入力値Input_Pに対する調整量AdjustDataをそのまま最近傍格子点ＧＤnearestに対する出力値の調整量ＡＤ１にしている。むろん、本技術は、最近傍格子点ＧＤnearestに対する出力値の調整量ＡＤ１を調整量AdjustDataにすることに限定されない。
【０１２７】
最近傍格子点ＧＤnearestに対する出力値の調整量ＡＤ１の決定後、図２２Ｂに示すように、ホスト装置１００は、調整範囲Ａ０において最近傍格子点ＧＤnearestの周囲にある格子点（三角印の格子点）に対する出力値の調整量ＡＤ２を決定する（図５のＳ１１２）。例えば、調整範囲Ａ０外の格子点に対する出力値の調整量を０にしておき、上述した各最近傍格子点ＧＤnearestに対する出力値の調整量ＡＤ１をAdjustDataにして、３次元又は４次元の３次スプライン関数による補間演算を行うことにより、周囲の格子点に対する出力値の調整量ＡＤ２を決定することができる。ここで、入力色空間ＣＳ４がＣＭＹＫ色空間である場合は前記補間演算を４次元の３次スプライン関数により行えばよく、入力色空間ＣＳ４がＬａｂ色空間である場合は前記補間演算を３次元の３次スプライン関数により行えばよい。このような補間演算を行うことにより、周囲の格子点に対する出力値の調整量ＡＤ２が、各最近傍格子点ＧＤnearestに対する出力値の調整量ＡＤ１と、調整範囲Ａ０外の格子点に対する出力値の調整量「０」と、の間で滑らかに繋がる。
むろん、本技術は、補間演算にスプライン関数を用いることに限定されない。
【０１２８】
ユーザーによっては、図２３に示すグラデーション画像ＩＭ１のように第一調整点Ｐ１から第二調整点Ｐ２まで連続するグラデーションの全色を調整したい場合がある。入力色空間ＣＳ４において第一調整点Ｐ１と第二調整点Ｐ２とが離れていると、調整点Ｐ１，Ｐ２の調整範囲Ａ１，Ａ２が重ならず、調整点Ｐ１，Ｐ２だけ調整量AdjustDataを設定しても、調整点Ｐ１，Ｐ２の間の色が調整されず、出力画像の階調性が低下することがある。しかし、調整点Ｐ１，Ｐ２の調整範囲Ａ１，Ａ２を広くすると、調整を望まない色までも調整することになる。これを防ぐためには、調整点Ｐ１，Ｐ２の間にも多くの調整点及び調整量AdjustDataを設定する必要がある。特に、調整点Ｐ１，Ｐ２が離れていると、その分、調整点及び調整量AdjustDataの設定が煩雑となる。
【０１２９】
本具体例では、ペア指定された調整点Ｐ１，Ｐ２の間に第三調整点Ｑｘが自動的に追加され、第三調整点Ｑｘの調整量AdjustData及び調整範囲Ａ３も自動的に決定され、これらの調整データもプロファイル５００の調整に反映される。従って、出力画像の階調性を向上させる作業が軽減される。
【０１３０】
調整範囲Ａ０の各格子点に対する出力値の調整量ＡＤの決定後、ホスト装置１００は、決定した調整量ＡＤを調整対象プロファイル５５０に反映する（図５のＳ１１４）。すなわち、調整範囲Ａ０の各格子点について、現在の出力値に調整量ＡＤを加えた値を更新後の出力値として調整対象プロファイル５５０に対して書き込めばよい。例えば、調整対象プロファイル５５０の出力色空間ＣＳ５がｃｍｙｋ色空間であれば、現在の出力値（ｃｑ，ｍｑ，ｙｑ，ｋｑとする。）に調整量（Δｃｑ，Δｍｑ，Δｙｑ，Δｋｑとする。）に加えた値（ｃｑ＋Δｃｑ，ｍｑ＋Δｍｑ，ｙｑ＋Δｙｑ，ｋｑ＋Δｋｑ）が更新後の出力値となる。調整対象プロファイル５５０の出力色空間ＣＳ５がＬａｂ色空間であれば、現在の出力値（Ｌｑ，ａｑ，ｂｑとする。）に調整量（ΔＬｑ，Δａｑ，Δｂｑとする。）に加えた値（Ｌｑ＋ΔＬｑ，ａｑ＋Δａｑ，ｂｑ＋Δｂｑ）が更新後の出力値となる。ここでの変数ｑは、調整範囲Ａ０内の格子点を識別する変数である。
以上のようにして、第二の色空間ＣＳ２において現在の出力値CurrentOutが目標出力値TargetOutに近付くように調整対象プロファイル５５０の対応関係が調整される。指定インテントに応じた情報が調整対象プロファイル５５０にある場合は、指定インテントに応じた対応関係において調整対象プロファイル５５０が調整される。
【０１３１】
調整対象プロファイル５５０の更新後、ホスト装置１００は、各調整点Ｐ０（第三調整点Ｑｘを含む。）について、更新後の調整対象プロファイル５５０、又は、更新後の調整対象プロファイル５５０を含むプロファイルの組合せを用いて現在の出力値CurrentOutを求める（Ｓ１１６）。更新後の現在の出力値CurrentOutは、図１４Ａ〜１４Ｅ，１５を参照して説明したＳ１０４の処理と同じ式を用いて算出することができる。指定インテントに応じた情報がプロファイルにある場合は、指定インテントに応じた情報に従って色変換が行われる。
【０１３２】
また、ホスト装置１００は、各調整点Ｐ０（第三調整点Ｑｘを含む。）について、更新後の現在の出力値CurrentOutと目標出力値TargetOutとの差分ｄを求める（Ｓ１１８）。この差分は、例えば、調整対象プロファイル５５０の出力色空間ＣＳ５において出力値CurrentOutに対応する点と目標出力値TargetOutに対応する点とのユークリッド距離とすることができる。
【０１３３】
その上で、ホスト装置１００は、Ｓ１０８〜Ｓ１２０の繰り返し処理の終了条件が成立したか否かを判断し（Ｓ１２０）、終了条件が成立していない場合にはＳ１０８〜Ｓ１２０の処理を繰り返し、終了条件が成立した場合にはプロファイル調整処理を終了させる。例えば、全調整点Ｐ０について差分ｄが所定の閾値以下である場合に終了条件成立とすることができる。また、規定の回数に達した場合に終了条件成立としてもよい。
【０１３４】
以上より、調整点Ｐ０に対応する入力座標値から現在の調整対象プロファイル５５０、又は、調整対象プロファイル５５０を含むプロファイルの組合せに従って得られる現在の出力値CurrentOutが目標出力値TargetOutに近付くように調整対象プロファイル５５０が調整される。このように、出力色ｃｍｙｋpを表す座標値を基準として調整対象プロファイル５５０が調整されるので、本具体例は、色空間の座標値の変換に使用するプロファイルを良好な色再現精度となるように調整することができる。その際、調整対象プロファイル５５０や調整対象色空間ＣＳ６を指定することができるので、本具体例は、ユーザーの利用環境に応じて柔軟に対応することができる。
【０１３５】
また、ペア指定された調整点Ｐ１，Ｐ２の間に第三調整点Ｑが自動的に追加され、第三調整点Ｑの調整の第三目標Ｔ３及び調整範囲Ａ３も自動的に決定され、これらの調整データもプロファイル５００の調整に用いられる。従って、本具体例は、容易に出力画像の階調性を向上させる技術を提供することができる。
【０１３６】
（６）変形例：
本発明は、種々の変形例が考えられる。
例えば、出力デバイスは、インクジェットプリンターに限定されず、レーザープリンターといった電子写真方式のプリンター、３次元プリンター、表示装置、等でもよい。
画像を形成する色材の種類は、Ｃ，Ｍ，Ｙ，Ｋに限定されず、Ｃ，Ｍ，Ｙ，Ｋに加えて、Ｌｃ、Ｌｍ、Ｙよりも高濃度のＤｙ（ダークイエロー）、Ｏｒ（オレンジ）、Ｇｒ（グリーン）、Ｋよりも低濃度のＬｋ（ライトブラック）、画質向上用の無着色の色材、等を含んでもよい。
むろん、第二の色空間は、ｃｍｙｋ色空間に限定されず、ＣＭＹ色空間、ＲＧＢ色空間、等でもよい。
ターゲットデバイスは、ターゲット印刷機に限定されず、表示装置等でもよい。
むろん、第一の色空間は、ＣＭＹＫ色空間に限定されず、ＣＭＹ色空間、ＲＧＢ色空間、等でもよい。
調整対象色空間として選択可能な色空間は、第一の色空間と第二の色空間とプロファイル接続空間との３種類に限定されず、第一の色空間と第二の色空間との２種類でもよいし、第一の色空間とプロファイル接続空間との２種類でもよいし、第二の色空間とプロファイル接続空間との２種類でもよい。
【０１３７】
第三調整点Ｑは、調整点Ｐ１，Ｐ２を結ぶ線上に限定されず、調整点Ｐ１，Ｐ２を結ぶ線上からずれた位置に設定されてもよい。
尚、調整範囲Ａ０が一定である場合も、第一調整点Ｐ１における調整の第一目標Ｔ１、及び、第二調整点Ｐ２における調整の第二目標Ｔ２に基づいて第三調整点Ｑｘにおける第三目標Ｔ３を決定することができる。また、目標Ｔ１，Ｔ２が予め決められていても、第一調整点Ｐ１を基点とする第一調整範囲Ａ１、及び、第二調整点Ｐ２を基点とする第二調整範囲Ａ２に基づいて第三調整範囲Ａ３を決定することができる。
【０１３８】
図２４に示すように、第三調整点Ｑの数Ｎ０を変えるための追加調整点指定欄９２０を、図７で示したＵＩ画面８００、又は、別の画面に表示してもよい。図２４に示す追加調整点指定欄９２０の複数の指定項目には、「標準の調整点数」と「調整点数を２倍にする（細かい）」とが含まれている。「標準の調整点数」が指定された場合、ホスト装置１００は、上述したように、調整対象プロファイル５５０の格子点間に最低１箇所の第三調整点Ｑｘが入る範囲でなるべく少なくなる数Ｎ０の第三調整点Ｑｘを調整点Ｐ１，Ｐ２の間に追加する（図６のＳ２２０）。「調整点数を２倍にする（細かい）」が指定された場合、ホスト装置１００は、図６のＳ２２０において、「標準の調整点数」が指定された場合と比べて約２倍の数の第三調整点Ｑｘを調整点Ｐ１，Ｐ２の間に追加する。このようにして、第三調整点Ｑｘの数Ｎ０を変えるために受け付けた設定に基づいた数Ｎ０の第三調整点Ｑｘが設定される。
【０１３９】
図２５Ａは、入力色空間ＣＳ４がＣＭＹＫ色空間である場合に調整点Ｐ１，Ｐ２の間に追加する第三調整点Ｑｘの間隔を１／２にして第三調整点Ｑｘを基点とする第三調整範囲Ａ３を決定する様子を模式的に例示している。図１３Ａ，２５Ａを比較すると、図２５Ａの場合には第三調整点Ｑｘの間隔が１／２となったことにより第三調整点Ｑｘが図１３Ａの第三調整点Ｑ１〜Ｑ５（Ｎ０＝５）から図２５Ａの第三調整点Ｑ１〜Ｑ１１（Ｎ０＝１１）に増えている。第三調整点Ｑｘを基点とする第三調整範囲Ａ３は、Ｎ０＝１１の第三調整点Ｑ１〜Ｑ１１について決められる。図２５Ｂに示すように、第三調整点Ｑｘにおける調整の第三目標Ｔ３も、Ｎ０＝１１の第三調整点Ｑ１〜Ｑ１１について決められる。この場合、図５のＳ１０４〜Ｓ１２０の処理にかかる時間は長くなるものの、出力画像の階調性がさらに向上する。
以上より、ユーザーは、好みに応じて処理時間を優先するか階調性の向上を優先するかを選択することができる。
【０１４０】
図２６Ａ，２６Ｂに示すように、ＣＭＹＫ色空間（第一の色空間ＣＳ４の例）において設定された調整点Ｐ１，Ｐ２をＬａｂ色空間（プロファイル接続空間ＣＳ３の例）に変換してから第三調整点Ｑを追加し、第三目標Ｔ３及び第三調整範囲Ａ３を決定してもよい。図２６Ａ，２６Ｂに示す例は、ＣＭＹＫ値からｃｍｙｋ値への変換に入力プロファイル６１０と出力プロファイル６２０が組み合わせられ、出力プロファイル６２０が調整対象プロファイル５５０に指定される場合に好適である。ここで、図２６Ａは、Ｌａｂ色空間（ＣＳ３）において調整点Ｐ１，Ｐ２の間に第三調整点Ｑｘを追加して第三調整点Ｑｘを基点とする第三調整範囲Ａ３を決定する様子を模式的に例示している。図２６Ｂは、Ｌａｂ色空間（ＣＳ３）の座標を基準として第三調整点Ｑｘにおける調整の第三目標Ｔ３を決定する様子を模式的に例示している。
【０１４１】
図６を参照して説明すると、第三調整点Ｑｘを追加するＳ２２０の処理の前に、ホスト装置１００は、まず、第一調整点Ｐ１の第一座標を表すＣＭＹＫ値（Ｃ１，Ｍ１，Ｙ１，Ｋ１）を入力プロファイル６１０に従ってＬａｂ値（Ｌ１，ａ１，ｂ１）に変換し、第二調整点Ｐ２の第二座標を表すＣＭＹＫ値（Ｃ２，Ｍ２，Ｙ２，Ｋ２）を入力プロファイル６１０に従ってＬａｂ値（Ｌ２，ａ２，ｂ２）に変換すればよい。Ｌａｂ値（Ｌ１，ａ１，ｂ１）は第四座標の例であり、Ｌａｂ値（Ｌ２，ａ２，ｂ２）は第五座標の例である。
【０１４２】
Ｓ２２０の処理において、ホスト装置１００は、Ｌａｂ色空間（ＣＳ３）において第一調整点Ｐ１（Ｌ１，ａ１，ｂ１）と第二調整点Ｐ２（Ｌ２，ａ２，ｂ２）とに基づいてＬａｂ値で表される第三座標の第三調整点Ｑｘを設定する。追加する第三調整点Ｑｘは、Ｌａｂ色空間（ＣＳ３）において調整点Ｐ１，Ｐ２を結んだ線上に生成することにしている。追加する第三調整点Ｑｘは、調整対象プロファイル５５０である出力プロファイル６２０の格子点ＧＤ０、すなわち、Ｌａｂ色空間（ＣＳ３）の格子点ＧＤ０の間隔ΔＧＤに基づいた数Ｎ０にしている。ここで、出力プロファイル６２０の格子点間に最低１箇所の第三調整点Ｑｘが入る範囲でなるべく少なくなるように数Ｎ０を設定している。
【０１４３】
例えば、Ｌａｂ色空間のＬ軸、ａ軸、及び、ｂ軸の内、格子点ＧＤ０の間隔ΔＧＤを単位とした第一調整点Ｐ１と第二調整点Ｐ２との間の距離が最も長い座標軸を選択する。図２６Ａの例では、５＜｜ａ２−ａ１｜＜６、及び、４＜｜ｂ２−ｂ１｜＜５であり、｜ａ２−ａ１｜が｜ｂ２−ｂ１｜、及び、｜Ｌ２−Ｌ１｜よりも大きいとして、ａ軸が選択されたことが示されている。次に、選択された座標軸の方向において、格子点ＧＤ０の間隔ΔＧＤ以下の間隔となる数Ｎ０の第三調整点Ｑｘを設定する。図２６Ａの例では、５＜｜ａ２−ａ１｜＜６であるので、Ｎ０＝５となる。
【０１４４】
Ｓ２２２の処理において、ホスト装置１００は、まず、ＣＭＹＫ色空間（ＣＳ１）の座標を基準とした調整点Ｐ１，Ｐ２の目標Ｔ１，Ｔ２を入力プロファイル６１０に従ってＬａｂ色空間（ＣＳ３）の座標を基準とした目標に変換すればよい。例えば、調整量AdjustDataがＣＭＹＫ値であり、第一調整点Ｐ１の調整量AdjustData（第一目標Ｔ１の例）が（ΔＣ１，ΔＭ１，ΔＹ１，ΔＫ１）であり、第二調整点Ｐ２の調整量AdjustData（第二目標Ｔ２の例）が（ΔＣ２，ΔＭ２，ΔＹ２，ΔＫ２）であるとする。調整量（ΔＣ１，ΔＭ１，ΔＹ１，ΔＫ１）は入力プロファイル６１０に従ってＬａｂ値の調整量（ΔＬ１，Δａ１，Δｂ１とする。）に変換し、調整量（ΔＣ２，ΔＭ２，ΔＹ２，ΔＫ２）は入力プロファイル６１０に従ってＬａｂ値の調整量（ΔＬ２，Δａ２，Δｂ２とする。）に変換すればよい。調整量（ΔＬ１，Δａ１，Δｂ１）は第四調整データの例であり、調整量（ΔＬ２，Δａ２，Δｂ２）は第五調整データの例である。
【０１４５】
また、ホスト装置１００は、第一調整点Ｐ１の調整量（ΔＬ１，Δａ１，Δｂ１）、及び、第二調整点Ｐ２の調整量（ΔＬ２，Δａ２，Δｂ２）に基づいて、第三調整点Ｑｘの調整量（ΔＬ３，Δａ３，Δｂ３とする。）を決定すればよい。この処理は、例えば、Ｌａｂ色空間（ＣＳ３）の座標を基準として、第一調整点Ｐ１の調整量（ΔＬ１，Δａ１，Δｂ１）、及び、第二調整点Ｐ２の調整量（ΔＬ２，Δａ２，Δｂ２）に基づいて、第三調整点Ｑｘの調整量（ΔＬ３，Δａ３，Δｂ３）を内挿する処理とすることができる。
【０１４６】
Ｓ２２４の処理において、ホスト装置１００は、まず、ＣＭＹＫ色空間（ＣＳ１）の座標を基準とした調整点Ｐ１，Ｐ２の調整範囲Ａ１，Ａ２を入力プロファイル６１０に従ってＬａｂ色空間（ＣＳ３）の座標を基準とした調整範囲に変換すればよい。変換後の第一調整範囲Ａ１は第四調整データの例であり、変換後の第二調整範囲Ａ２は第五調整データの例である。
【０１４７】
また、ホスト装置１００は、第一調整点Ｐ１の第一調整範囲Ａ１、及び、第二調整点Ｐ２の第二調整範囲Ａ２に基づいて、第三調整点Ｑｘの第三調整範囲量Ａ３を決定すればよい。この処理は、例えば、Ｌａｂ色空間（ＣＳ３）の座標を基準として、第一調整点Ｐ１の第一調整範囲Ａ１、及び、第二調整点Ｐ２の第二調整範囲Ａ２に基づいて、第三調整点Ｑｘの第三調整範囲量Ａ３を内挿する処理とすることができる。
【０１４８】
ホスト装置１００は、図６のＳ２２４の処理を終了させると、図５のＳ１０４以降の処理を行い、Ｌａｂ色空間（ＣＳ３）の座標を基準とした調整目標Ｔ１，Ｔ２及び調整範囲Ａ１，Ａ２に基づいて出力プロファイル６２０を調整すればよい。
以上のようにして、出力プロファイルを入力プロファイルと組み合わせて調整する場合に容易に出力画像の階調性を向上させることができる。
【０１４９】
（７）結び：
以上説明したように、本発明によると、種々の態様により、容易に出力画像の階調性を向上させる技術等を提供することができる。むろん、独立請求項に係る構成要件のみからなる技術でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【０１５０】
１００…ホスト装置（プロファイル調整システムの例）、１１４…記憶装置、１１５…表示装置、１１６…入力装置、２００…プリンター、３００…ターゲット印刷機、４００…ＲＩＰ、５００…プロファイル、５５０…調整対象プロファイル、６１０…入力プロファイル、６２０…出力プロファイル、６３０…デバイスリンクプロファイル、７００…調整履歴、８００…ＵＩ画面、８１１…入力プロファイル選択欄、８１２…出力プロファイル選択欄、８１３…デバイスリンクプロファイル選択欄、８２０…調整対象プロファイル指定欄、８３０…調整対象色空間選択欄、８４０…目標受付領域、８４１…「画像から指定」ボタン、８４２…追加ボタン、８４３…削除ボタン、８４４…ペア指定領域、８４５…調整データ選択欄、８５０…調整範囲指定欄、８６０…インテント指定欄、８７０…調整実施ボタン、９１０…ペア指定画面、９２０…追加調整点指定欄、Ａ０…調整範囲、Ａ１…第一調整範囲、Ａ２…第二調整範囲、Ａ３…第三調整範囲、ＣＳ１…第一の色空間、ＣＳ２…第二の色空間、ＣＳ３…プロファイル接続空間、ＣＳ４…入力色空間、ＣＳ５…出力色空間、ＣＳ６…調整対象色空間、ＧＤ０，ＧＤ１，ＧＤ２…格子点、ＧＤnearest…最近傍格子点、ＩＭ０…出力画像、ＩＭ１…グラデーション画像、ＭＥ１…被印刷物、Ｐ０…調整点、Ｐ１…第一調整点、Ｐ２…第二調整点、Ｑ…第三調整点、ＰＲ０…プロファイル調整プログラム、ＳＴ１…調整点受付工程、ＳＴ２…調整点追加工程、ＳＴ３…調整データ生成工程、ＳＴ４…プロファイル調整工程、Ｔ０…目標、Ｔ１…第一目標、Ｔ２…第二目標、Ｔ３…第三目標。
【図１】
2018207328.tif 000003
【図２】
2018207328.tif 000004
【図３】
2018207328.tif 000005
【図４】
2018207328.tif 000006
【図５】
2018207328.tif 000007
【図６】
2018207328.tif 000008
【図７】
2018207328.tif 000009
【図８】
2018207328.tif 000010
【図９】
2018207328.tif 000011
【図１０】
2018207328.tif 000012
【図１１】
2018207328.tif 000013
【図１２】
2018207328.tif 000014
【図１３】
2018207328.tif 000015
【図１４】
2018207328.tif 000016
【図１５】
2018207328.tif 000017
【図１６】
2018207328.tif 000018
【図１７】
2018207328.tif 000019
【図１８】
2018207328.tif 000020
【図１９】
2018207328.tif 000021
【図２０】
2018207328.tif 000022
【図２１】
2018207328.tif 000023
【図２２】
2018207328.tif 000024
【図２３】
2018207328.tif 000025
【図２４】
2018207328.tif 000026
【図２５】
2018207328.tif 000027
【図２６】
2018207328.tif 000028